(57)【要約】  無線充電装置、方法および充電対象機器であって、当該無線充電装置（２２０）は、無線送信回路（２２１）と第１の通信制御回路（２２２）とを含む。充電対象機器（２３０）は、バッテリ（２３２）と、無線受信回路（２３１）と、第１の充電通路（２３３）と、検出回路（２３４）と、第２の通信制御回路と（２３５）を含む。第２の通信制御回路は、無線充電中に第１の通信制御回路と無線通信する。当該無線充電装置、方法および充電対象機器は、無線充電過程を改善し、充電効率を向上させることができる。
2020516223.tif 000002
【特許請求の範囲】
【請求項１】
充電対象機器に対する無線充電中に前記充電対象機器と無線通信する通信制御回路を含み、
前記通信制御回路は、前記充電対象機器と前記無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュール、およびモバイル通信モジュールのうちのいずれか１つまたは複数を含む、
ことを特徴とする無線充電装置。
【請求項２】
前記高搬送波周波数に基づく近距離無線通信モジュールは、内部にＥＨＦアンテナがパッケージされたＩＣチップを含む、
ことを特徴とする請求項１に記載の無線充電装置。
【請求項３】
前記高搬送波周波数は６０ＧＨｚである、
ことを特徴とする請求項２に記載の無線充電装置。
【請求項４】
前記光通信モジュールは、赤外線通信モジュールを含む、
ことを特徴とする請求項１に記載の無線充電装置。
【請求項５】
前記通信制御回路は、検出された各無線通信の方式の信号強度に基づいて、前記無線通信で採用される無線通信の方式を決定する、
ことを特徴とする請求項１に記載の無線充電装置。
【請求項６】
前記通信制御回路は、充電対象機器に対する無線充電中に前記充電対象機器と無線通信して、前記充電対象機器のバッテリの電圧および／または電流を取得し、
前記バッテリの電圧および／または電流に基づいて、無線送信回路の送信電力を調整する、
ことを特徴とする請求項１〜５のいずれかに記載の無線充電装置。
【請求項７】
前記無線充電装置は、電圧変換回路をさらに含み、
前記電圧変換回路は、電源供給機器によって供給される入力電圧を受信し、前記入力電圧を変換して、前記電圧変換回路の出力電圧および出力電流を取得し、
前記無線送信回路は、前記電圧変換回路の出力電圧および出力電流に基づいて電磁信号を送信する、
ことを特徴とする請求項１に記載の無線充電装置。
【請求項８】
前記通信制御回路は、前記電圧変換回路の出力電圧および／または出力電流を調整して、前記無線送信回路の送信電力を調整する、
ことを特徴とする請求項７に記載の無線充電装置。
【請求項９】
前記無線送信回路は、インバータ回路と共振回路とを含み、
前記通信制御回路は、前記無線送信回路の送信電力を調整するように、前記インバータ回路のデューティ比および／または前記共振回路の共振周波数を調整する、
ことを特徴とする請求項７または８に記載の無線充電装置。
【請求項１０】
前記無線充電装置は、充電インターフェースをさらに含み、
前記無線送信回路は、さらに、前記充電インターフェースを介して電源供給機器の出力電圧および出力電流を受信し、前記電源供給機器の出力電圧および出力電流に基づいて、前記電磁信号を生成する、
ことを特徴とする請求項７〜９のいずれかに記載の無線充電装置。
【請求項１１】
前記通信制御回路は、前記電源供給機器と通信して、前記電源供給機器の出力電力をネゴシエーションする、
ことを特徴とする請求項１０に記載の無線充電装置。
【請求項１２】
前記通信制御回路が前記電源供給機器と通信して、前記電源供給機器の出力電力をネゴシエーションすることは、
前記通信制御回路が、前記電源供給機器の最大出力電力をネゴシエーションするように、前記電源供給機器と通信することを含み、
前記通信制御回路が前記無線送信回路の送信電力を調整することは、
前記無線送信回路が前記電力供給機器の最大出力電力に基づいて前記充電対象機器を無線充電する過程において、前記無線充電装置が、前記最大出力電力から前記無線送信回路によって抽出された電力量を調整して、前記無線送信回路の送信電力を調整することを含む、
ことを特徴とする請求項１１に記載の無線充電装置。
【請求項１３】
前記通信制御回路が前記無線送信回路の送信電力を調整することは、
前記通信制御回路が前記電源供給機器と通信することにより、前記電源供給機器の出力電圧および/または出力電流が調整され、前記無線送信回路の送信電力が調整されることを含む、
ことを特徴とする請求項１１に記載の無線充電装置。
【請求項１４】
前記通信制御回路が、前記無線充電中に前記充電対象機器と無線通信して、前記無線送信回路の送信電力を調整することは、
前記通信制御回路が、前記充電対象機器から送信された、前記電源供給機器の出力電圧および／または出力電流を調整するように前記通信制御回路に指示するための調整情報を受信することを含む、
ことを特徴とする請求項１３に記載の無線充電装置。
【請求項１５】
前記充電インターフェースは、ユニバーサルシリアルバスＵＳＢまたはｌｉｇｈｔｎｉｎｇインターフェースである、
ことを特徴とする請求項１０〜１４のいずれかに記載の無線充電装置。
【請求項１６】
前記充電インターフェースは、ＵＳＢインターフェースであり、前記通信制御回路と前記充電対象機器とは、前記ＵＳＢインターフェース内のデータ線を介して通信する、
ことを特徴とする請求項１５に記載の無線充電装置。
【請求項１７】
前記充電インターフェースは、電力送信ＰＤ通信プロトコルをサポートするＵＳＢインターフェースであり、前記通信制御回路と前記電源供給機器とは、前記ＰＤ通信プロトコルに基づいて通信する、
ことを特徴とする請求項１５に記載の無線充電装置。
【請求項１８】
前記無線送信回路は、さらに、外部から入力された交流電力を受信し、前記交流電力に基づいて前記電磁信号を生成する、
ことを特徴とする請求項１に記載の無線充電装置。
【請求項１９】
前記通信制御回路は、前記充電対象機器と無線通信して、前記充電対象機器から送信された、前記バッテリの現在の電気量および／または現在の電圧を含むバッテリ状態情報を受信し、前記バッテリ状態情報に基づいて前記無線送信回路の送信電力を調整する、
ことを特徴とする請求項１〜１８のいずれかに記載の無線充電装置。
【請求項２０】
前記通信制御回路と前記充電対象機器との間の通信情報は、
前記バッテリの温度情報と、
前記無線受信回路の出力電圧および／または出力電流のピーク値または平均値を示す情報と、
過電圧保護または過電流保護に入ることを示す情報と、
前記無線送信回路と前記無線受信回路との間の電力送信効率を示すための電力送信効率情報とのうちの少なくとも１つを含む、
ことを特徴とする請求項１〜１９のいずれかに記載の無線充電装置。
【請求項２１】
前記通信情報は、前記電力送信効率情報を含み、前記通信制御回路は、前記電力送信効率情報に基づいて前記無線送信回路の送信電力の調整幅を決定する、
ことを特徴とする請求項２０に記載の無線充電装置。
【請求項２２】
前記通信制御回路は、前記充電対象機器と無線通信して、充電モードを決定し、前記充電モードは、第１の無線充電モードと第２の無線充電モードとを含み、前記第１の無線充電モードを採用する場合の無線送信回路の最大送信電力は、前記第２の無線充電モードを採用する場合の無線送信回路の最大送信電力より大きい、
ことを特徴とする請求項１〜２１のいずれかに記載の無線充電装置。
【請求項２３】
前記無線充電装置は、無線充電ベースである、
ことを特徴とする請求項１〜２２のいずれかに記載の無線充電装置。
【請求項２４】
バッテリと、
前記バッテリに対する無線充電中に無線充電装置と無線通信する通信制御回路とを含み、
前記通信制御回路は、前記無線充電装置と無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュールおよびモバイル通信モジュールのうちのいずれか１つまたは複数を含む、
ことを特徴とする充電対象機器。
【請求項２５】
前記高搬送波周波数に基づく近距離無線通信モジュールは、内部にＥＨＦアンテナがパッケージされたＩＣチップを含む、
ことを特徴とする請求項２４に記載の充電対象機器。
【請求項２６】
前記高搬送波周波数は６０ＧＨｚである、
ことを特徴とする請求項２５に記載の充電対象機器。
【請求項２７】
前記光通信モジュールは、赤外線通信モジュールを含む、
ことを特徴とする請求項２４に記載の充電対象機器。
【請求項２８】
前記通信制御回路は、検出された各無線通信の方式の信号強度に基づいて、前記無線通信で採用される無線通信の方式を決定する、
ことを特徴とする請求項２４に記載の充電対象機器。
【請求項２９】
前記充電対象機器は、
無線充電中に前記バッテリに入る電圧および／または電流を検出する検出回路と、
前記無線充電装置が送信電力を調整して前記バッテリに入る電圧および／または電流を調整するように、前記検出回路によって検出された電圧および／または電流に基づいて、前記無線充電装置と無線通信する通信制御回路と、をさらに含む、
ことを特徴とする請求項２４〜２８のいずれかに記載の充電対象機器。
【請求項３０】
前記充電対象機器は、
前記無線充電装置から送信された電磁信号を受信し、前記電磁信号を前記無線受信回路の出力電力および出力電流に変換して前記バッテリを充電する無線受信回路と、
前記無線受信回路の出力電力および出力電流を受信し、前記第１の充電通路の出力電力および出力電流に基づいて前記バッテリを充電する第１の充電通路と、を含む、
ことを特徴とする請求項２４〜２９のいずれかに記載の充電対象機器。
【請求項３１】
前記充電対象機器は、
前記第１の充電通路に設けられた降圧回路を含み、
前記降圧回路は、前記無線受信回路の出力電圧を受信し、前記無線受信回路の出力電圧を降圧処理して、前記バッテリを充電する、
ことを特徴とする請求項３０に記載の充電対象機器。
【請求項３２】
前記降圧回路は、Ｂｕｃｋ回路またはチャージポンプである、
ことを特徴とする請求項３１に記載の充電対象機器。
【請求項３３】
前記バッテリは、互いに直列接続されたＮ個のセルを含み、Ｎは１より大きい正の整数である、
ことを特徴とする請求項２４〜３２のいずれかに記載の充電対象機器。
【請求項３４】
前記通信制御回路が、前記無線充電装置の送信回路の送信電力を調整するように前記無線充電装置に指示するための調整情報を前記無線通信によって前記無線充電装置に送信する、
ことを特徴とする請求項２４〜３３のいずれかに記載の充電対象機器。
【請求項３５】
前記通信制御回路は、前記充電対象機器内のバッテリの現在の電気量および／または現在の電圧を含む電池状態情報を前記無線通信によって前記無線充電装置に送信することにより、前記無線充電装置が、前記バッテリ状態情報に基づいて前記無線送信回路の送信電力を調整する、
ことを特徴とする請求項２４〜３４のいずれかに記載の充電対象機器。
【請求項３６】
前記通信制御回路と前記無線充電装置との間の通信情報は、
前記バッテリの温度情報と、
前記無線受信回路の出力電圧および／または出力電流のピーク値または平均値を示す情報と、
過電圧保護または過電流保護に入ることを示す情報と、
前記無線充電装置と前記無線受信回路との間の電力送信効率を示すための電力送信効率情報とのうちの少なくとも１つを含む、
ことを特徴とする請求項２４〜３５のいずれかに記載の充電対象機器。
【請求項３７】
前記充電対象機器は、
前記第２の充電通路をさらに含み、前記第２の充電通路に変換回路が設けられ、前記変換回路は、前記無線受信回路の出力電圧および出力電流を受信し、前記無線受信回路の出力電圧および／または出力電流を変換し、変換された電圧および／または電流に基づいて前記バッテリを充電し、
前記通信制御回路は、さらに、前記第１の充電通路と前記第２の充電通路との切り替えを制御する、
ことを特徴とする請求項３０に記載の充電対象機器。
【請求項３８】
前記通信制御回路は、さらに、前記無線通信によって前記無線充電装置とハンドシェイク通信を行い、前記ハンドシェイク通信が成功した場合、前記第１の充電通路を動作するように制御し、前記ハンドシェイク通信が失敗した場合、前記第２の充電通路を動作するように制御する、
ことを特徴とする請求項３７に記載の充電対象機器。
【請求項３９】
前記通信制御回路は、さらに、前記バッテリの温度に基づいて、前記第１の充電通路と前記第２の充電通路との切り替えを制御する、
ことを特徴とする請求項３７または３８に記載の充電対象機器。
【請求項４０】
無線充電装置に適用される無線充電方法であって、前記方法は、
充電対象機器に対する無線充電中に前記充電対象機器と無線通信するステップを含み、
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む、
ことを特徴とする無線充電方法。
【請求項４１】
充電対象機器に適用される無線充電方法であって、前記方法は、
バッテリに対する無線充電中に無線充電装置と無線通信するステップを含み、
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む、
ことを特徴とする無線充電方法である。
【発明の詳細な説明】
【技術分野】
【０００１】
本願は、無線充電の分野に関し、より詳細には、無線充電装置、方法および充電対象機器に関する。
【背景技術】
【０００２】
現在、充電技術の分野では、充電対象機器は、主に有線充電方式により充電される。
携帯電話を例とすると、現在、携帯電話の充電方法は、依然として主に有線充電を採用している。具体的には、携帯電話を充電する必要があるとき、充電ケーブル（例えば、ユニバーサルシリアルバス（Ｕｎｉｖｅｒｓａｌ  ｓｅｒｉａｌ  ｂｕｓ、ＵＳＢ）ケーブル）を介して携帯電話を電源供給機器に接続し、充電ケーブルを介して電源供給機器の出力電力が携帯電話に送信され、携帯電話内のバッテリを充電することができる。
【０００３】
充電対象機器について、有線充電方式の場合、充電ケーブルを使用する必要があるため、充電準備段階の操作が煩雑である。したがって、無線充電方式は、ますます人々に好まれている。しかしながら、従来の無線充電方式の効果が悪く、改善を強く求めている。
【発明の概要】
【本発明が解決しようとする課題】
【０００４】
本願は、無線充電過程を改善する無線充電装置、方法および充電対象機器を提供する。
【課題を解決するための手段】
【０００５】
一態様は、無線充電装置を提供し、前記無線充電装置は、充電対象機器に対する無線充電中に前記充電対象機器と無線通信し、充電対象機器のバッテリに入る電圧および／または電流を取得して、無線送信回路の送信電力を調整するための通信制御回路を含み、
前記通信制御回路は、前記充電対象機器と前記無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュール、およびモバイル通信モジュールのうちのいずれか１つまたは複数を含む。
【０００６】
別の態様では、充電対象機器を提供し、前記充電対象機器は、バッテリと、無線充電中にバッテリに入る電圧および／または電流を検出するための検出回路と、無線充電装置が送信電力を調整してバッテリに入る電圧および／または電流を調整するように、前記検出回路によって検出された電圧および／または電流に基づいて、前記無線充電装置と無線通信する通信制御回路とを含み、
前記通信制御回路は、前記無線充電装置と無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュールおよびモバイル通信モジュールのうちのいずれか１つまたは複数を含む。
【０００７】
別の態様は、無線充電装置に適用される無線充電方法を提供し、前記方法は、
充電対象機器に対する無線充電中に、前記充電対象機器と無線通信して、前記充電対象機器のバッテリに入る電流および／または電圧を取得して、無線送信回路の送信電力を調整するステップを含み、
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。 
【０００８】
別の態様は、充電対象機器に適用される無線充電方法を提供し、前記方法は、
無線充電中に、バッテリに入る電圧および/または電流を検出するステップと、
送信電力を調整してバッテリに入る電圧および／または電流を調整するように、検出された電圧および／または電流に基づいて、前記無線充電装置と無線通信するステップと、を含み
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。
【図面の簡単な説明】
【０００９】
【図１】従来の無線充電システムの構成の一例の図である。
【図２】本願の一実施例によって提供される無線充電システムの概略構成図である。
【図３】本願の別の実施例によって提供される無線充電システムの概略構成図である。
【図４】本願の別の実施例によって提供される無線充電システムの概略構成図である。
【図５】本願の別の実施例によって提供される無線充電システムの概略構成図である。
【図６】本願の一実施例によって提供される充電対象機器の概略構成図である。
【図７】本願の別の実施例によって提供される充電対象機器の概略構成図である。
【図８】本願の別の実施例によって提供される無線充電システムの概略構成図である。
【図９】本願の一実施例によって提供される無線充電方法の概略フローチャートである。
【図１０】本願の別の実施例によって提供される無線充電方法の概略フローチャートである。
【図１１】本願の別の実施例によって提供される無線充電方法の概略フローチャートである。
【発明を実施するための形態】
【００１０】
本願の実施例は、無線充電技術に基づいて充電対象機器を充電し、無線充電技術はケーブルを介さずに電力送信を完成することができるので、充電準備段階の操作を簡略化することができる。
【００１１】
従来の無線充電技術は、一般的に、電源供給機器（アダプタなど）と無線充電装置（無線充電ベースなど）とを接続し、当該無線充電装置を介して電源供給機器の出力電力を無線方式で（電磁信号や電磁波など）充電対象機器に転送して、充電対象機器を無線充電する。
【００１２】
無線充電原理によっては、無線充電方式は、主に、磁気結合（または電磁誘導）、磁気共鳴および無線電波という３つの方式に分けられる。現在、主流の無線充電規格は、ＱＩ規格、パワーマターズアライアンス（ｐｏｗｅｒ  ｍａｔｔｅｒｓ  ａｌｌｉａｎｃｅ、ＰＭＡ）規格、および無線電力アライアンス（ａｌｌｉａｎｃｅ  ｆｏｒ  ｗｉｒｅｌｅｓｓ  ｐｏｗｅｒ、Ａ４ＷＰ）を含む。ＱＩ規格とＰＭＡ規格は、どちらも磁気結合で無線充電する。Ａ４ＷＰ規格は、磁気共鳴で無線充電する。
【００１３】
以下、図１を参照して従来の無線充電方式を説明する。
図１に示すように、無線充電システムは、電源供給機器１１０と、無線充電装置１２０と、充電対象機器１３０とを含み、無線充電装置１２０は、例えば、無線充電ベースであってもよく、充電対象機器１３０は、例えば、端末であってもよい。
【００１４】
電源供給機器１１０が無線充電装置１２０に接続された後、電源供給機器１１０の出力電流は無線充電装置１２０に送信される。無線充電装置１２０は、内部の無線送信回路１２１によって電源供給機器１１０の出力電流を電磁信号（または電磁波）に変換して送信することができる。例えば、当該無線送信回路１２１は、電源供給機器１１０の出力電流を交流電力に変換し、送信コイルまたは送信アンテナ（図示せず）を介して当該交流電力を電磁信号に変換することができる。
【００１５】
充電対象機器１３０は、無線受信回路１３１によって無線送信回路１２１から送信された電磁信号を受信し、当該電磁信号を無線受信回路１３１の出力電流に変換することができる。例えば、当該無線受信回路１３１は、無線送信回路１２１から送信された電磁信号を受信コイルまたは受信アンテナ（図示せず）を介して交流電力に変換し、当該交流電力の整流および／またはフィルタリングなどの処理を行って、当該交流電力を無線受信回路１３１の出力電圧および出力電流に変換することができる。
【００１６】
従来の無線充電技術では、無線充電する前に、無線充電装置１２０と充電対象機器１３０とが無線送信回路１２１の送信電力について予めネゴシエーションする。無線充電装置１２０と充電対象機器１３０とのネゴシエーションによって決定された電力が５Ｗである場合、無線受信回路１３１の出力電圧および出力電流は、通常５Ｖおよび１Ａとなる。無線充電装置１２０と充電対象機器１３０とのネゴシエーションによって決定された電力が１０．８Ｗである場合、無線受信回路１３１の出力電圧および出力電流は、通常９Ｖおよび１．２Ａとなる。
【００１７】
無線受信回路１３１の出力電圧は、バッテリ１３３の両端に直接印加することが適宜されず、充電対象機器１３０における変換回路１３２によって変換されて充電対象機器１３０内のバッテリ１３３の予期充電電圧および/または充電電流を取得する必要がある。 
【００１８】
変換回路１３２は、バッテリ１３３の予期充電電圧および／または充電電流の需要を満たすように、無線受信回路１３１の出力電圧を変換することができる。
【００１９】
一例として、当該変換回路１３２は、集積回路（ｉｎｔｅｇｒａｔｅｄ  ｃｉｒｃｕｉｔ、ＩＣ）のような充電管理モジュールを指してもよい。バッテリ１３３の充電中に、変換回路１３２は、バッテリ１３３の充電電圧および／または充電電流を管理することができる。当該変換回路１３２は、バッテリ１３３の充電電圧および／または充電電流の管理を実現するために、電圧フィードバック機能および／または電流フィードバック機能を含むことができる。
【００２０】
例えば、バッテリの充電過程は、トリクル充電段階、定電流充電段階、および定電圧充電段階のうちの１つまたは複数を含むことができる。トリクル充電段階では、変換回路１３２は、電流フィードバック機能を利用して、トリクル充電段階でバッテリ１３３に流入する電流がバッテリ１３３の予期充電電流の大きさ（例えば、第１の充電電流）を満たすようにすることができる。定電流充電段階では、変換回路１３２は、電流フィードバック機能を利用して、定電流充電段階でバッテリ１３３に流入する電流がバッテリ１３３の予期充電電流の大きさ（例えば、第１の充電電流よりも大きい第２の充電電流）を満たすようにすることができる。定電圧充電段階では、変換回路１３２は、電圧フィードバック機能を利用して、定電圧充電段階でバッテリ１３３の両端に印加される電圧の大きさがバッテリ１３３の予期充電電圧の大きさを満たすようにすることができる。
【００２１】
一例として、無線受信回路１３１の出力電圧がバッテリ１３３の予期充電電圧より大きい場合、変換回路１３２は、無線受信回路１３１の出力電圧を降圧処理して、降圧変換された充電電圧がバッテリ１３３の予期充電電圧の需要を満たすようにすることができる。別の例として、無線受信回路１３１の出力電圧がバッテリ１３３の予期充電電圧より小さい場合、変換回路１３２は、無線受信回路１３１の出力電圧を昇圧処理して、昇圧変換された充電電圧がバッテリ１３３の予期充電電圧の需要を満たすようにすることができる。
【００２２】
別の例として、無線受信回路１３１が５Ｖの定電圧を出力することを例とすると、バッテリ１３３が単一のバッテリセル（リチウムバッテリセルを例とし、単一のバッテリセルの充電終止電圧は一般に４．２Ｖである）を含む場合、変換回路１３２（例えばＢｕｃｋ降圧回路）は、無線受信回路１３１の出力電圧を降圧処理して、降圧された充電電圧がバッテリ１３３の予期充電電圧の需要を満たすようにすることができる。
【００２３】
別の例として、無線受信回路１３１が５Ｖの定電圧を出力することを例とすると、バッテリ１３３が直列接続された２つ以上のバッテリセル（リチウムバッテリセルを例とし、単一のバッテリセルの充電終止電圧は一般に４．２Ｖである）を含む場合、変換回路１３２（例えばＢｏｏｓｔ昇圧回路）は、無線受信回路１３１の出力電圧を昇圧処理して、昇圧された充電電圧がバッテリ１３３の予期充電電圧の需要を満たすようにすることができる。
【００２４】
変換回路１３２は、回路の変換効率低下という原因に制約され、変換されていない部分の電気エネルギが熱の形で散逸する。この部分の熱は充電対象機器１３０の内部に蓄積される。充電対象機器１３０の設計スペース及び放熱スペースが非常に小さいことから（例えば、ユーザが使用するモバイル端末の物理的なサイズがますます薄くなるとともに、モバイル端末の性能を向上させるためにモバイル端末内に多数の電子部品が密に配置されている）、変換回路１３２の設計の難しさを上げるだけでなく、充電対象機器１３０内に集まっている熱を迅速に除去しにくく、充電対象機器１３０の異常を引き起こす。
【００２５】
例えば、変換回路１３２に蓄積された熱は、変換回路１３２の近傍の電子部品に熱干渉を引き起こし、電子部品の異常動作を引き起こす可能性がある。また例えば、変換回路１３２に蓄積された熱は、変換回路１３２およびその近傍の電子部品の使用寿命を短くする可能性がある。また、例えば、変換回路１３２に蓄積された熱は、バッテリ１３３に熱干渉を引き起こすおそれがあり、そしてバッテリ１３３の異常な充電および放電を引き起こすおそれがある。また、例えば、変換回路１３２に蓄積された熱は、充電対象機器１３０の温度上昇を引き起こし、ユーザの充電時の体験に影響を及ぼすおそれがある。また、例えば、変換回路１３２に蓄積された熱は、変換回路１３２自体の短絡を引き起こすおそれがあり、これにより、無線受信回路１３１の出力電圧がバッテリ１３３に直接印加され、充電異常を引き起こし、バッテリ１３３が長時間に過電圧充電状態にあると、バッテリ１３３の爆発を引き起こすことさえあり、ユーザの安全に危害を与えることになる。
【００２６】
上記の問題を解決するために、本願の実施例は、無線充電システムを提供する。当該無線充電システムにおける無線充電装置は、充電対象機器と無線通信することができ、且つ無線充電装置の送信電力を充電対象機器のフィードバック情報に基づいて調整して、充電対象機器内部の無線受信回路の出力電圧および／または出力電流をバッテリの現在の充電段階とマッチングさせることができる。言い換えると、当該無線充電システムにおける無線充電装置は、充電対象機器と無線通信することができ、且つ無線充電装置の送信電力を充電対象機器のフィードバック情報に基づいて調整して、充電対象機器内部の無線受信回路の出力電圧および／または出力電流をバッテリの現在の充電需要（バッテリの現在の充電電圧および／または充電電流を含む需要）を満たすことができる。これにより、充電対象機器において、無線受信回路の出力電圧および／または出力電流をバッテリの両端に直接印加してバッテリを充電することができる（以下、このような充電方式を直接充電と言う）。したがって、上述した変換回路が無線受信回路の出力電圧および／または出力電流を変換することによって発生したエネルギー損失、発熱などの問題を回避することができる。
【００２７】
図２を参照して本願の実施例によって提供される無線充電システム２００を以下のように詳細に説明する。
【００２８】
図２に示すように、本願の実施例によって提供される無線充電システム２００は、無線充電装置２２０と充電対象機器２３０とを含むことができる。
【００２９】
無線充電装置２２０は、無線送信回路２２１と第１の通信制御回路２２２とを含む。第１の通信制御回路２２２における制御機能は、例えば、マイクロコントロールユニット（Ｍｉｃｒｏ  Ｃｏｎｔｒｏｌ  Ｕｎｉｔ、ＭＣＵ）によって実現することができる。 
【００３０】
無線送信回路２２１は、電磁信号を送信して充電対象機器２３０を無線充電することができる。いくつかの実施例において、無線送信回路２２１は、無線送信駆動回路および送信コイルまたは送信アンテナ（図示せず）を含むことができる。無線送信駆動回路は、比較的高い周波数の交流電力を生成することができ、送信コイルまたは送信アンテナは、当該比較的高い周波数の交流電力を電磁信号に変換して送信することができる。一実施例では、無線送信駆動回路は、インバータ回路と共振回路とを含む。 
【００３１】
第１の通信制御回路２２２は、無線充電中に充電対象機器２３０と無線通信し、充電対象機器２３０に入るバッテリの電圧および／または電流を取得して、無線送信回路の送信電力を調整することができる。したがって、無線送信回路の送信電力を調整することによって、バッテリに入る電圧および／または電流を調整することができる。一実施例では、バッテリに入る電圧および／または電流を調整することは、充電対象機器内の無線受信回路の出力電圧および／または出力電流を、現在充電対象機器内のバッテリの現在の充電段階とマッチングさせることを含むことができる。
【００３２】
具体的には、第１の通信制御回路２２２は、充電対象機器２３０内の第２の通信制御回路２３５と無線通信することができる。本願の実施例は、第１の通信制御回路２２２と第２の通信制御回路２３５との無線通信の方式、および第１の通信制御回路２２２と第２の通信制御回路２３５とによってインタラクションされる通信情報を特に限定しない。以下、具体的な実施例を組み合わせて詳細に説明する。
【００３３】
充電対象機器２３０は、無線受信回路２３１、バッテリ２３２、第１の充電通路２３３、検出回路２３４、および第２の通信制御回路２３５を含む。第２の通信制御回路２３５における制御機能は、例えば、マイクロコントロールユニット（Ｍｉｃｒｏ  Ｃｏｎｔｒｏｌ  Ｕｎｉｔ、ＭＣＵ）によって実現されてもよく、ＭＣＵと充電対象機器内部のアプリケーションプロセッサ（ａｐｐｌｉｃａｔｉｏｎ  ｐｒｏｃｅｓｓｏｒ、ＡＰ）との協力によって実現されてもよい。
【００３４】
検出回路２３４は、無線充電中に、バッテリ２３２に入る電圧および／または電流を検出する。
【００３５】
第２の通信制御回路２３５は、検出回路によって検出された電圧および／または電流に基づいて無線充電装置２２０と無線通信するように構成され、これによって無線充電装置２２０は、送信電力を調整してバッテリ２３２に入る電圧および／または電流を調整する。
【００３６】
一実施例では、バッテリ２３２に入る電圧および／または電流を調整することは、無線充電装置２２０の無線送信回路の送信電力を調整して、充電対象機器の無線受信回路の出力電圧および／または出力電流を、バッテリの現在の充電段階とマッチングさせることを含むことができる。
【００３７】
一実施例では、無線受信回路２３１は、電磁信号を受信し、電磁信号を無線受信回路２３１の出力電圧および出力電流に変換することができる。具体的には、無線受信回路２３１は、受信コイルまたは受信アンテナ（図示せず）と、当該受信コイルおよび受信アンテナに接続された整流回路および／またはフィルタリング回路などの整形回路とを含むことができる。受信アンテナまたは受信コイルは、電磁信号を交流電力に変換することができ、整形回路は、交流電力を無線受信回路２３１の出力電圧および出力電流に変換することができる。なお、本願の実施例において、整形回路の具体的な形態、整形された無線受信回路２３１の出力電圧および出力電流の形態は、特に限定されない。いくつかの実施例において、整形回路は、整流回路およびフィルタリング回路を含むことができ、無線受信回路２３１の出力電圧は、フィルタリング後に得られる安定した電圧であってもよい。別の実施例において、整形回路は、整流回路を含むことができ、無線受信回路２３１の出力電圧は、整流後に得られる脈動波形の電圧であってもよく、当該脈動波形の電圧は、充電対象機器２３０のバッテリ２３２に直接印加され、バッテリ２３２を充電することができる。なお、無線受信回路２３１の出力電流が間欠的にバッテリ２３２を充電することができ、当該無線受信回路２３１の出力電流の周期は、交流電力網のような無線充電システム２００に入力される交流電力の周波数に伴って変化することができ、例えば、無線受信回路２３１の出力電流の周期に対応する周波数は、電力網周波数の整数倍または逆数倍である。また、無線受信回路２３１の出力電流が間欠的にバッテリ２３２を充電することができる場合、無線受信回路２３１の出力電流に対応する電流波形は、電力網に同期する１つまたは１セットのパルスから構成されてもよい。脈動形態の電圧/電流の大きさは、周期的に変動し、従来の定直電力と比較して、リチウムバッテリのリチウム析出現象を低減させ、バッテリの使用寿命を向上させ、バッテリの分極効果の低減に有利であり、充電速度を向上させ、バッテリの発熱を減少させ、充電対象機器の充電時の安全および信頼性を確保することができる。
【００３８】
第１の充電通路２３３は、無線受信回路２３１の出力電圧および出力電流を受信し、無線受信回路２３１の出力電圧および出力電流に基づいてバッテリ２３２を充電することができる。本願の実施例によって提供される第１の充電通路２３３は、無線受信回路２３１の出力電圧および出力電流に基づいてバッテリ２３２を直接充電することができる。例えば、第１の充電通路２３３はリード線とすることができる。また、例えば、充電対象機器２３２が複数の充電通路を含む場合、第１の充電通路２３３にスイッチング（図６のスイッチング２３８を参照）などの素子を設けて、異なる充電通路の間で切り替える。
【００３９】
検出回路２３４は、無線受信回路２３１の出力電圧および／または出力電流を検出することができる。いくつかの実施例では、検出回路２３４は、電圧検出回路および電流検出回路を含むことができる。
【００４０】
電圧検出回路は、無線受信回路２３１の出力電圧をサンプリングし、サンプリングした電圧値を第２の通信制御回路２３５に送信することができる。いくつかの実施例において、電圧検出回路は、直列電圧分圧の方式で無線受信回路２３１の出力電圧をサンプリングすることができる。
【００４１】
電流検出回路は、無線受信回路２３１の出力電流をサンプリングし、サンプリングした電流値を第２の通信制御回路２３５に送信することができる。いくつかの実施例において、電流検出回路は、電流検出抵抗器および検流計によって無線受信回路２３１の出力電流をサンプリングすることができる。
【００４２】
第２の通信制御回路２３５は、検出回路２３４によって検出された無線受信回路２３１の出力電圧および／または出力電流に基づいて、第１の通信制御回路２２２と無線通信することができ、これによって第１の通信制御回路２２２は、無線送信回路２２１の送信電力を調整して、無線受信回路２３１の出力電圧および／または出力電流をバッテリ２３２の現在の充電段階とマッチングさせる。 
【００４３】
言い換えると、第２の通信制御回路２３５は、検出回路２３４によって検出された無線受信回路２３１の出力電圧および／または出力電流に基づいて、第１の通信制御回路２２２と無線通信することができ、これによって第１の通信制御回路２２２は、無線送信回路２２１の送信電力を調整して、無線受信回路２３１の出力電圧および／または出力電流がバッテリ２３２の充電需要（充電電圧および／または充電電流へのバッテリ２３２の需要を含む）を満たすようにする。
【００４４】
言い換えると、第２の通信制御回路２３５は、検出回路２３４によって検出された無線受信回路２３１の出力電圧および／または出力電流に基づいて、第１の通信制御回路２２２と無線通信することができ、これによって第１の通信制御回路２２２は、無線送信回路２２１の送信電力を調整して、無線受信回路２３１の出力電圧および／または出力電流がトリクル充電段階、定電圧充電段階、および定電流充電段階のうちの少なくとも１つにおけるバッテリ２３２の充電需要を満たすようにする。
【００４５】
言い換えると、第２の通信制御回路２３５は、検出回路２３４によって検出された無線受信回路２３１の出力電圧および／または出力電流に基づいて、第１の通信制御回路２２２と無線通信することができ、これによって第１の通信制御回路２２２は、無線送信回路２２１の送信電力を調整して、バッテリ２３２の充電過程の定電圧制御および／または定電流制御を行う。
【００４６】
バッテリの充電過程は、トリクル充電段階、定電流充電段階、および定電圧充電段階のうちの少なくとも１つを含むことができる。
【００４７】
上述した第２の通信制御回路２３５が検出回路によって検出された無線受信回路２３１の出力電圧および／または出力電流に基づいて、第１の通信制御回路２２２と無線通信し、これによって第１の通信制御回路２２２が無線受信回路２３１の出力電圧および／または出力電流に基づいて、無線送信回路２２１の送信電力を調整することは、バッテリ２３２のトリクル充電段階において、第２の通信制御回路２３５が、検出回路２３４によって検出された無線受信回路２３１の出力電圧および／または出力電流に基づいて、第１の通信制御回路２２２と無線通信し、これによって第１の通信制御回路２２２が無線送信回路２２１の送信電力を調整して、無線受信回路２３１の出力電流をトリクル充電段階に対応する充電電流とマッチングさせる（または、無線受信回路２３１の出力電流がトリクル充電段階におけるバッテリ２３２の充電電流の需要を満たすようにする）ことを含むことができる。
【００４８】
トリクル充電段階に対応する充電電流が１Ａに等しいことを例として説明する。バッテリ２３２がトリクル充電段階にあるとき、検出回路２３４によって無線受信回路２３１の出力電流をリアルタイムに検出することができる。無線受信回路２３１の出力電流が１Ａより大きい場合、第２の通信制御回路２３５は、第１の通信制御回路２２２と通信することができるので、第１の通信制御回路２２２は、無線送信回路２２１の送信電力を調整して、無線受信回路２３１の出力電流を１Ａに再度戻すことができる。
【００４９】
上述した第２の通信制御回路２３５が検出回路２３４によって検出された無線受信回路２３１の出力電圧および／または出力電流に基づいて、第１の通信制御回路２２２と無線通信し、これによって、第１の通信制御回路２２２が無線受信回路２３１の出力電圧および／または出力電流に基づいて、無線送信回路２２１の送信電力を調整することは、バッテリ２３２の定電圧充電段階において、第２の通信制御回路２３５が検出回路２３４によって検出された無線受信回路２３１の出力電圧および／または出力電流に基づいて。第１の通信制御回路２２２と無線通信することにより、第１の通信制御回路２２２が無線送信回路２２１の送信電力を調整して無線受信回路２３１の出力電圧を定電圧充電段階に対応する充電電圧とマッチングさせる（または、無線受信回路２３１の出力電圧が定電圧充電段階におけるバッテリ２３２の充電電圧の需要を満たすようにする）ことを含むことができる。
【００５０】
定電圧充電段階に対応する充電電圧が５Ｖに等しいことを例として説明する。バッテリ２３２が定電圧充電段階にあるとき、検出回路によって無線受信回路２３１の出力電圧をリアルタイムで検出することができる。無線受信回路２３１の出力電圧が５Ｖより低い場合、第２の通信制御回路２３５が第１の通信制御回路２２２と通信することにより、第１の通信制御回路２２２が無線送信回路２２１の送信電力を調整して無線受信回路２３１の出力電圧を５Ｖに再度戻すことができる。無線受信回路２３１の出力電圧が変動する原因は様々であり、本願の実施例において特に限定されない。例えば、無線送信回路２２１と無線受信回路２３１との間の電磁信号の送信が阻害されてエネルギ変換効率が低下するため、無線受信回路２３１の出力電圧が５Ｖ未満となる。
【００５１】
上述した第２の通信制御回路２３５が検出回路によって検出された無線受信回路２３１の出力電圧および／または出力電流に基づいて、第１の通信制御回路２２２と無線通信し、これによって第１の通信通路２２３が無線受信回路２３１の出力電圧および／または出力電流に基づいて、無線送信回路２２１の送信電力を調整することは、バッテリ２３２の定電流充電段階において、第２の通信制御回路２３５が検出回路２３４によって検出された無線受信回路２３１の出力電圧および／または出力電流に基づいて、第１の通信制御回路２２２と無線通信し、これによって第１の通信制御回路２２２が無線送信回路２２１の送信電力を調整して無線受信回路２３１の出力電流を定電流充電段階に対応する充電電流とマッチングさせる（または、無線受信回路２３１の出力電流が、定電流充電段階であるバッテリ２３２の充電電流の需要を満たすようにする）ことを含むことができる。
【００５２】
定電流充電段階に対応する充電電流が２Ａに等しいことを例として説明する。バッテリ２３２が定電流充電段階にあるとき、検出回路によって無線受信回路２３１の出力電流をリアルタイムに検出することができる。無線受信回路２３１の出力電流が２Ａより低い場合、第２の通信制御回路２３５が第１の通信制御回路２２２と通信し、これによって第１の通信制御回路２２２が無線送信回路２２１の送信電力を調整して無線受信回路２３１の出力電流を２Ａに再度戻すことができる。無線受信回路２３１の出力電流が変動する原因は様々であり、本願の実施例において特に限定されない。例えば、無線送信回路２２１と無線受信回路２３１との間の電磁信号の送信が阻害されてエネルギ変換効率が低下するため、無線受信回路２３１の出力電流が２Ａ未満となる。 
【００５３】
なお、本願の実施例に言及された定電流充電段階または定電流段階は、充電電流が完全に一定に保持されて変動しないことを要求せず、例えば、充電電流のピークまたは平均値が一定期間内に一定に保持されて変動しないことを指してもよい。実際には、定電流充電段階では、通常に多段階定電流の方式で充電する。
【００５４】
多段階定電流充電（Ｍｕｌｔｉ−ｓｔａｇｅ ｃｏｎｓｔａｎｔ ｃｕｒｒｅｎｔ ｃｈａｒｇｉｎｇ）がＮ個の定電流段階（Ｎが２以上の整数である）を有することができる。多段階定電流充電は、所定の充電電流で第１の段階である充電を始めることができる。前記多段階定電流充電のＮ個の定電流段階は、第１の段階から第（Ｎ−１）段階まで順次に実行される。定電流段階における前の定電流段階から次の充電定電流段階に入った後、脈動波形の電流ビーク値または平均値が小さくなることがある。バッテリ電圧が充電終止電圧閾値に達した場合に、定電流段階における前の充電段階から次の充電段階に入る。隣接する２つの定電流段階間の電流転換過程は、緩やかに変動してもよく、階段的にジャンプ変動してもよい
【００５５】
本願の実施例で使用される充電対象機器は端末を指してもよく、当該「端末」は、有線回路を介して(例えば、公衆交換電話網(ｐｕｂｌｉｃ ｓｗｉｔｃｈｅｄ ｔｅｌｅｐｈｏｎｅ ｎｅｔｗｏｒｋ、 ＰＳＴＮ)、デジタル加入者線(ｄｉｇｉｔａｌｓｕｂｓｃｒｉｂｅｒ ｌｉｎｅ、 ＤＳＬ)、デジタルケーブル、直接ケーブル接続、および／または別のデータ接続／ネットワークを介し)接続するか、および／または(例えば、セルラーネットワーク、無線ローカルエリアネットワーク(ｗｉｒｅｌｅｓｓ ｌｏｃａｌ ａｒｅａ ｎｅｔｗｏｒｋ、 ＷＬＡＮ)、ハンドヘルドデジタルビデオ放送(ｄｉｇｉｔａｌ ｖｉｄｅｏ ｂｒｏａｄｃａｓｔｉｎｇ ｈａｎｄｈｅｌｄ、ＤＶＢ−Ｈ) ネットワークのデジタルＴＶネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ、ＡＭ−ＦＭ）ブロードキャストトランスミッタ、および／または別の通信端末の)無線インターフェイスを介して通信信号を受信／送信するように構成される装置を含むが、これらに限定されない。無線インターフェイスを介して通信するように構成される通信端末は、「無線通信端末」、「無線端末」および／または「モバイル端末」と呼ばれてもよい。例として、モバイル端末は、衛星またはセルラー電話と、セルラー無線電話およびデータ処理、ファックスおよびデータ通信能力を組み合わせ得るパーソナルコミュニケーションシステム(ｐｅｒｓｏｎａｌ ｃｏｍｍｕｎｉｃａｔｉｏｎ ｓｙｓｔｅｍ、ＰＣＳ)端末と、無線電話、ポケットベル、インターネット／イントラネットアクセス、Ｗｅｂブラウザ、メモ、カレンダーおよび／または全地球測位システム(ｇｌｏｂａl ｐｏｓｉｔｉｏｎｉｎｇ ｓｙｓｔｅｍ、ＧＰＳ) レシーバーを含むパーソナルデジタルアシスタント (Ｐｅｒｓｏｎａｌ Ｄｉｇｉｔａｌ Ａｓｓｉｓｔａｎｔ、ＰＤＡ)と、通常のラップトップレシーバーおよび／またはハンドヘルドレシーバまたは無線電話レシーバを含む他の電子装置を含むが、これらに限定されない。また、本願の実施例で使用される充電対象の装置または端末は、パワーバンク（ｐｏｗｅｒ ｂａｎｋ）をさらに含むことができ、当該パワーバンクは、アダプタの充電を受けてエネルギを蓄積して他の電子装置にエネルギを供給することができる。
【００５６】
本願の実施例において、無線充電装置２２０と充電対象機器２３０との通信方式および通信順番が特に限定されない。
【００５７】
選択可能に、いくつかの実施例において、無線充電装置２２０と充電対象機器２３０（または第２の通信制御回路２３５と第１の通信制御回路２２２）との無線通信は、片方向無線通信であってもよい。例えば、バッテリ２３２の無線充電中に、充電対象機器２３０が通信の発信側として、無線充電装置２２０が通信の受信側として規定することができる。例えば、バッテリの定電流充電段階において、充電対象機器２３０は、検出回路２３４によってバッテリ２３２の充電電流（すなわち無線受信回路２３１の出力電流）をリアルタイムに検出することができる。バッテリ２３２の充電電流が、バッテリの現在の充電段階とマッチングしない場合、充電対象機器２３０は、無線充電装置２２０に調整情報を送信して、無線充電装置２２０が無線送信回路２２１の送信電力を調整するように命令する。
【００５８】
選択可能に、いくつかの実施例において、無線充電装置２２０と充電対象機器２３０（または第２の通信制御回路２３５と第１の通信制御回路２２２）との無線通信は、双方向無線通信であってもよい。双方向無線通信は、一般に、受信側が、送信側によって送信された通信要求を受信した後に、送信側に応答情報を送信することを要求することであり、双方向通信メカニズムによって、通信過程の安全性を向上することができる。
【００５９】
本願の実施例の上記説明は、無線充電装置２２０（無線充電装置２２０内の第１の通信制御回路２２２）および充電対象機器２３０（充電対象機器２３０内の第２の通信制御回路２３５）のマスタスレーブを限定するものではない。言い換えると、無線充電装置２２０と充電対象機器２３０とのいずれか一方がマスタ機器側として双方向通信の会話を開始することができ、これに応じて、他方がスレーブ機器側としてマスタ機器側から開始された通信に対して第１の応答または第１の返事を行うことができる。実行可能な方式として、通信中に無線充電装置２２０と充電対象機器２３０との間のリンク状況に応じてマスター装置およびスレーブ機器を決定することができる。例えば、無線充電装置２２０が充電対象機器２３０に情報を送信する無線リンクが上りリンクであり、充電対象機器２３０が無線充電装置２２０に情報を送信する無線リンクが下りリンクであると仮定すると、上りリンクのリンク品質が良い場合、無線充電装置２２０を通信のマスタ機器とすることができ、下りリンクのリンク品質が良い場合、充電対象機器２３０を通信のスレーブ機器とすることができる。
【００６０】
本願の実施例において、無線充電装置２２０と充電対象機器２３０との双方向通信の具体的な実現形態が限定されない。すなわち、無線充電装置２２０と充電対象機器２３０とのいずれか一方は、マスタ機器側として通信会話を開始し、これに応して、他方がスレーブ機器側としてマスタ機器側から開始された通信に対して第１の応答または第１の返事を行い、同時にマスタ機器側がスレーブ機器側からの第１の応答または第１の返事に対して第２の応答を行うことができるとき、マスタ機器とスレーブ機器との間で１回の通信ネゴシエーション過程が完了したと見なす。
【００６１】
マスタ機器側がスレーブ機器の通信会話に対する第１の応答または第１の返事に基づいて第２の応答を行うことができる一方式として、マスタ機器側が、スレーブ機器側の通信会話に対する第１の応答または第１の返事を受信し、受信したスレーブ機器の第１の応答または第１の返事に応じた第２の応答を行う方式であってもよい。
【００６２】
マスタ機器側がスレーブ機器側の通信会話に対する第１の応答または第１の返事に基づいて更なる第２の応答を行うことができる一方式として、マスタ機器側が、スレーブ機器側の通信会話に対する第１の応答または第１の返事を所定の時間内に受信しなくても、マスタ機器側も、スレーブ機器の通信会話に対する第１の応答または第１の返事に応じた第２の応答を行う方式であってもよい。
【００６３】
選択可能に、いくつかの実施例において、充電対象機器２３０がマスタ機器として通信会話を開始し、無線充電装置２２０がスレーブ機器側としてマスタ機器側から開始された通信会話に対して第１の応答または第１の返事を行った後、充電対象機器２３０が、無線充電装置２２０の第１の応答または第１の応答に応じた第２の応答を行わなくても、無線充電装置２２０と充電対象機器２３０との間で１回の通信ネゴシエーション過程が完了したと見なす。
【００６４】
本願の実施例において、無線充電装置２２０における第１の通信制御回路２２２と、充電対象機器２３０における第２の通信制御回路２３５との無線通信の方式が特に限定されない。例えば、第１の通信制御回路および第２の通信制御回路は、ブルートゥース（ｂｕｌｅｔｏｏｔｈ）、無線フィデリティ（ｗｉｒｅｌｅｓｓ  ｆｉｄｅｌｉｔｙ、Ｗｉ−Ｆｉ）、高搬送波周波数に基づく近距離無線通信、光通信、超音波通信、超広帯域通信、モバイル通信、またはバックスキャッタ（ｂａｃｋｓｃａｔｔｅｒ）変調方式（または電力負荷変調方式）に基づいて無線通信を行うことができる。 
【００６５】
一実施例では、第１の通信制御回路は、第２の通信制御回路と無線通信するためのブルートゥースモジュール、Ｗｉ−Ｆｉモジュール、高搬送波周波数に基づく近距離無線通信モジュール、光通信モジュール、超音波通信モジュール、超広帯域通信モジュール、およびモバイル通信モジュールのうちのいずれか１つまたは複数を含むことができる。
【００６６】
一実施例では、高搬送波周波数に基づく近距離無線通信モジュールは、内部にＥＨＦアンテナがパッケージされたＩＣチップを含む。選択可能に、高搬送波周波数は６０ＧＨｚである。
【００６７】
一実施例では、光通信モジュールは、赤外線を用いて情報を送信することができる赤外線通信モジュールを含む。
【００６８】
一実施例では、モバイル通信モジュールは、５Ｇ通信プロトコル、４Ｇ通信プロトコル、または３Ｇ通信プロトコルなどのモバイル通信プロトコルを用いて情報送信を行うことができる。
【００６９】
対応的に、第２の通信制御回路２３５は、第１の通信制御回路２２２と無線通信するためのブルートゥースモジュール、Ｗｉ−Ｆｉモジュール、高搬送波周波数に基づく近距離無線通信モジュール、光通信モジュール、超音波通信モジュール、超広帯域通信モジュール、モバイル通信モジュールのうちのいずれか１つまたは複数を含むことができる。
【００７０】
これにより、第１の通信制御回路２２２と第２の通信制御回路２３５との無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。
【００７１】
本開示の実施例では、第１の通信制御回路２２２と第２の通信制御回路２３５との間で１つまたは複数の無線通信の方式もサポートすることができる。様々な実施例において、無線通信は、規格通信または非規格通信を含むことができる。規格無線通信のいくつかの実施例は、ブルートゥース、ＩＥＥＥ８０２．１１（無線ＬＡＮｓ）、８０２．１５（ＷＰＡＮｓ）、８０２．１６（ＷｉＭＡＸ）、８０２．２０モバイル無線ブロードバンドアクセスを含むが、これらに限定されないリンクプロトコルと、５Ｇ規格プロトコル、ＬＴＥ、ＣＤＭＡ、ＧＳＭなどを含むが、これらに限定されないセルラプロトコル（モバイル通信プロトコル）と、Ｚｉｇｂｅｅおよび超広帯域（ＵＷＢ）技術と、を含む。このタイプのプロトコルは、ＲＦ通信をサポートしており、一部は、赤外線通信もサポートする。さらに、超音波通信、光通信、高搬送波周波数に基づく近距離無線通信、および他の無線通信も採用することができる。上述した無線通信が採用可能な規格は、従来規格と既存規格とを含むことを理解されたい。本願の範囲から逸脱しない前提で、これらの規格の将来のバージョンおよび将来の規格を採用することをさらに含む。
【００７２】
本願の実施例において、第１の通信制御回路２２２および第２の通信制御回路２３５は、検出された各種の無線通信の方式の信号強度に基づいて、採用される無線通信の方式を決定することができる。例えば、Ｗｉ−Ｆｉを採用して無線通信する場合、Ｗｉ−Ｆｉ信号が微弱であることが検出されると、他の無線通信の方式に切り替わる。
【００７３】
本願の実施例の無線通信の方式でバッテリに入る電圧、電流、または電力などの情報が無線充電装置に送信されるので、無線充電装置は、受信した情報に基づいて無線送信回路の送信電力をリアルタイムに調整することができる。上記の無線通信による通信する方式により、通信の信頼性を向上させることができ、充電の安全性を向上させることができる。従来技術（例えば、Ｑｉ規格）における、信号変調の方式で無線受信回路のコイルに結合されて通信する方式と比較して、通信の信頼性を向上させることができるとともに、信号結合の方式で通信することによって引き起こされる電圧リップル、および充電対象機器の変換回路または降圧回路の電圧処理過程に影響を与えることを回避することができる。
【００７４】
上述したように、無線充電中に、第２の通信制御回路２３５は、検出回路２３４によって検出された無線受信回路２３１の出力電圧および／または出力電流に基づいて第１の通信制御回路２２２と無線通信することができ、これによって第１の通信制御回路２２２は、無線送信回路２２１の送信電力を調整するが、本願の実施例において、第２の通信制御回路２３５と第１の通信制御回路２２２との通信の内容が特に限定されない。一例として、第２の通信制御回路２３５は、検出回路２３４によって検出された無線受信回路２３１の出力電圧および／または出力電流を第１の通信制御回路２２２に送信することができる。さらに、第２の通信制御回路２３５は、第１の通信制御回路２２２にバッテリ状態情報を送信することができ、バッテリ状態情報は、充電対象機器２３０内のバッテリ２３２の現在の電気量および／または現在の電圧を含む。第１の通信制御回路２２２は、まず、バッテリ２３２の状態情報に基づいて、バッテリ２３２の現在の充電段階を決定し、そしてバッテリ２３２の現在の充電段階とマッチングする目標充電電圧および／または目標充電電流を決定することができる。次に、第１の通信制御回路２２２は、第２の通信制御回路２３５によって送信された無線受信回路２３１の出力電圧および／または出力電流を目標充電電圧および／または目標充電電流と比較して、無線受信回路２３１の出力電圧および／または出力電流がバッテリ２３２の現在の充電段階とマッチングするか否かを決定し、無線受信回路２３１の出力電圧および／または出力電流がバッテリ２３２の現在の充電段階とマッチングしない場合、無線受信回路２３１の出力電圧および／または出力電流がバッテリ２３２の現在の充電段階とマッチングするまで無線送信回路２２１の送信電力を調整することができる
【００７５】
別の例として、第２の通信制御回路２３５は、無線送信回路２２１の送信電力を調整するように命令するための調整情報を第１の通信制御回路２２２に送信することができる。例えば、第２の通信制御回路２３５は、無線送信回路２２１の送信電力を上げるように第１の通信制御回路２２２に命令することができる。また、例えば、無線送信回路２２１の送信電力を下げるように第１の通信制御回路２２２に命令することができる。より具体的には、無線充電装置２２０は、無線送信回路２２１の送信電力のランクを複数設定することができ、第１の通信制御部２２２は、無線受信回路２３１の出力電圧および／または出力電流がバッテリ２３２の現在の充電段階とマッチングするまで、調整情報を受信するたびに無線送信回路２２１の送信電力のランクを１ランク調整する。
【００７６】
上記の通信内容に加えて、第１の通信制御回路２２２と第２の通信制御回路２３５とは、さらに、無線通信により他の通信情報をインタラクションすることができる。いくつかの実施例において、第１の通信制御回路２２２と第２の通信制御回路２３５とは、セキュリティ保護、異常検出、または故障処理の情報、例えば、バッテリ２３２の温度情報、過電圧保護または過電流保護に入ることを示す情報、電力送信効率情報（当該電力送信効率情報は、無線送信回路２２１と無線受信回路２３１との間の電力送信効率を示すことができる）をインタラクションすることができる。
【００７７】
例えば、バッテリ２３２の温度が高すぎる場合、第１の通信制御回路２２２および／または第２の通信制御回路２３５は、充電回路を制御して、無線充電を停止させるなど、保護状態に入ることができる。また、例えば、第１の通信制御回路２２２が第２の通信制御回路２３５から送信された過電圧保護または過電流保護の指示情報を受信した後、第１の通信制御回路２２２が送信電力を減少させるか、または無線送信回路２２１を動作を停止するように制御することができる。また、例えば、第１の通信制御回路２２２が第２の通信制御回路２３５から送信された電力送信効率情報を受信した後、電力送信効率が所定の閾値より低い場合、無線送信回路２２１を動作を停止するように制御するとともに、ユーザにこの事件を報知することができ、例えば、ディスプレイによって電力送信効率が低すぎることを示すか、またはインジケータライトによって電力送信効率が低すぎることを示すことにより、ユーザは無線充電環境を調整することができる。
【００７８】
いくつかの実施例において、第１の通信制御回路２２２および第２の通信制御回路２３５は、無線送信回路２２１の送信電力を調整するの他の情報、例えば、バッテリ２３２の温度情報、無線受信回路２３１の出力電圧および／または出力電流のピーク値または平均値を示す情報、電力送信効率情報（当該電力送信効率情報が無線送信回路２２１と無線受信回路２３１との間の電力送信効率を示すことができる）などをインタラクションすることができる。
【００７９】
例えば、第２の通信制御回路２３５は、第１の通信制御回路２２２に電力送信効率情報を送信することができ、第１の通信制御回路２２２は、さらに、電力送信効率情報に基づいて無線送信回路２２１の送信電力の調整幅を決定する。具体的には、電力送信効率情報が無線送信回路２２１と無線受信回路２３１との間の電力送信効率が低いことを示す場合、第１の通信制御回路２２２は、無線送信回路２２１の送信電力の調整幅を広げて、無線送信回路２２１の送信電力を急速に目標電力に達させることができる。
【００８０】
また、例えば、無線受信回路２３１が脈動波形の電圧及び／または電流を出力する場合、第２の通信制御回路２３５は、無線受信回路２３１の出力電圧および／または出力電流のピーク値または平均値を示す情報を第１の通信制御回路２２２に送信することができ、第１の通信制御回路２２２は、無線受信回路２３１の出力電圧および／または出力電流のピーク値または平均値がバッテリの現在の充電段階とマッチングするか否かを判断することができる。マッチングしない場合、無線送信回路２２１の送信電力を調整することができる。
【００８１】
また、例えば、第２の通信制御回路２３５は、バッテリ２３２の温度情報を第１の通信制御回路２２２に送信することができる。バッテリ２３２の温度が高すぎる場合、第１の通信制御回路２２２は、無線送信回路２２１の送信電力を下げることができるため、無線受信回路２３１の出力電流を小さくし、バッテリ２３２の温度を低くすることができる。
【００８２】
図３に示すように、本願の実施例によって提供される無線充電デバイス２２０は、充電インターフェース２２３をさらに含むことができ、無線送信回路２２１は、さらに、充電インターフェース２２３を介して電源供給機器２１０の出力電圧および出力電流を受信し、電源供給機器２１０の出力電圧および出力電流に基づいて、電磁信号を生成することができる。
【００８３】
本願の実施例において、電源供給機器２１０のタイプは、特に限定されない。例えば、電源供給機器２１０は、アダプタ、パワーバンク（ｐｏｗｅｒ  ｂａｎｋ）、またはコンピュータであっても良い。
【００８４】
充電インターフェース２２３のタイプは、本願の実施例において、特に限定されない。選択可能として、いくつかの実施例において、当該充電インターフェース２２３は、ＵＳＢインターフェースとすることができる。当該ＵＳＢインターフェースは、例えば、ＵＳＢ２．０インターフェース、マイクロＵＳＢインターフェース、またはＵＳＢ ＴＹＰＥ−Ｃインターフェースとすることができる。選択可能に、別の実施例において、当該充電インターフェース２２３は、ｌｉｇｈｔｎｉｎｇインターフェース、または充電に使用することができる他の任意タイプであるパラレルインターフェースおよび／またはシリアルインターフェースとすることもできる。
【００８５】
本願の実施例において、第１の通信制御回路２２２と電源供給機器２１０との通信方式が特に限定されない。一例として、第１の通信制御回路２２２は、充電インタフェース以外の通信インタフェースを介して電源供給機器２１０に接続され、当該通信インタフェースを介して電源供給機器２１０と通信することができる。別の例として、第１の通信制御回路２２２は、無線方式で電源供給機器２１０と通信することができる。例えば、第１の通信制御回路２２２は、電源供給機器２１０と近距離無線通信（ｎｅａｒ  ｆｉｅｌｄ  ｃｏｍｍｕｎｉｃａｔｉｏｎ、ＮＦＣ）を行うことができる。さらに、別の例として、第１の通信制御回路２２２は、別途な通信インタフェースまたは他の無線通信モジュールを設置する必要なく、充電インタフェース２２３を介して電源供給機器２１０と通信することができ、これによって無線充電装置２２０の実現を簡易化することができる。例えば、充電インターフェース２２３は、ＵＳＢインターフェースであり、第１の通信制御回路２２２は、当該ＵＳＢインターフェース内のデータ線（例えば、Ｄ＋および／またはＤ−ライン）を介して電源供給機器２１０と通信することができる。さらに、例えば、充電インターフェース２２３は、電力送信（ｐｏｗｅｒ  ｄｅｌｉｖｅｒｙ、ＰＤ）通信プロトコルをサポートするＵＳＢインターフェース（例えば、ＵＳＢ ＴＹＰＥ − Ｃインターフェース）であっても良く、第１の通信制御回路２２２と電源供給機器２１０とは、ＰＤ通信プロトコルに基づいて通信することができる。
【００８６】
電源供給機器２１０は、出力電力が一定で変化しない一般的な電源供給機器であってもよく、または、本願の実施例によって提供される出力電力が調整可能な電源供給機器であってもよいことと理解すべきである。出力電力が調整可能な電源供給機器内部に電圧フィードバックループおよび電流フィードバックループを設けることができ、それによって出力電圧および／または出力電流を実際の需要に応じて調整することができる（以下、主に電源供給機器２１０が、出力電力が調整可能な電源供給機器であることを例として説明する）。さらに、当該電源供給機器２１０は、通信機能を有することもでき、第１の通信制御回路２２１は、さらに、電源供給機器２１０と通信して、電源供給機器２１０の出力電力をネゴシエートすることもできる。
【００８７】
上述したように、本願の実施例によって提供される無線充電装置２２０は、充電中に無線送信回路２２１の送信電力を常に調整することにより、無線受信回路２３１の出力電圧および／または出力電流がバッテリ２３２の現在の充電段階とマッチングングするようになる。本願の実施例において、無線送信回路２２１の送信電力を調整する方式が特に限定されない。例えば、第１の通信制御回路２２２は、電源供給機器２１０と通信することにより、電源供給機器２１０の出力電圧および／または出力電流を調整して、無線送信回路２２１の送信電力を調整することができる。また、例えば、第１の通信制御回路２２２は、電源供給機器２１０から供給される最大出力電力から無線送信回路２２１によって抽出された電力量を調整することにより、無線送信回路２２１の送信電力を調整することができる。無線送信回路２２１の送信電力を調整する方式について、図４〜図５を参照して以下に詳細に説明する。
【００８８】
図４を参照すると、選択可能に、一実施例として、第１の通信制御回路２２１は、さらに、電源供給機器２１０と通信して、電源供給機器２１０の最大出力電力をネゴシエーションする。無線送信回路２２１が電源供給機器２１０の最大出力電力に基づいて電源供給機器２１０を無線充電する過程において、第１の通信制御回路２２１は、最大出力電力から無線送信回路２２１によって抽出される電力量を調整して、無線送信回路２２１の送信電力を調整することができる。
【００８９】
本願の実施例において、第１の通信制御回路２２２は、出力電力が調整可能な電源供給機器２１０と通信して、当該電源供給機器２１０の最大出力電力についてネゴシエーションする。ネゴシエーションが完了した後、電源供給機器２１０は、当該最大出力電力に従って、出力電圧および出力電流を無線充電装置２２０に供給することができる。充電中に、第１の通信制御回路２２２は、実際の需要に応じて、当該最大出力電力から一定の電力量を抽出して、無線充電に使用することができる。すなわち、本願の実施例は、無線送信回路２２１の送信電力調整の制御権を第１の通信制御回路２２２に割り当て、第１の通信制御回路２２２は、充電対象機器２３０のフィードバック情報を受信した直後に、送信回路２２１の送信電力を調整することができ、調整速度が速く、効率が高いという利点を有する。
【００９０】
本願の実施例において、第１の通信制御回路２２２が無線送信回路２２１の送信電力を調整する方式が特に限定されない。例えば、第１の通信制御回路２２２の内部、無線送信回路２２１の内部、または第１の通信制御回路２２２と無線送信回路２２１との間に電力調整回路を設けることができ、当該電力調整回路が送信コイルまたは送信アンテナに接続され、送信コイルまたは送信アンテナによって受信される電力を調整することができる。当該電力調整回路は、例えば、パルス振幅変調（ｐｕｌｓｅ  ｗｉｄｔｈ  ｍｏｄｕｌａｔｉｏｎ、ＰＷＭ）コントローラと、スイッチングユニットとを含むことができる。第１の通信制御回路２２２は、ＰＷＭコントローラから出力される制御信号のデューティ比を調整する、および／またはスイッチングユニットのスイッチング周波数を制御することにより、無線送信回路２２１の送信電力を調整することができる。
【００９１】
なお、図４の実施例において、代替方式として、電源供給機器２１０は、出力電力が一定で、且つ出力電力が大きい（例えば、４０Ｗ）電源供給機器であってもよい。第１の通信制御回路２２２は、電源供給機器２１０とその最大出力電力をネゴシエーションする必要がなく、電源供給機器２１０から供給される一定の電力から無線送信回路２２１によって抽出される電力量を直接調整すればよい。
【００９２】
図５を参照すると、選択可能に、別の実施例では、無線送信回路２２１は、電源供給機器２１０と通信することができ、これによって、電源供給機器２１０の出力電圧および／または出力電流が調整され、無線送信回路２２１が調整される。さらに、いくつかの実施例において、第１の通信制御回路２２２は、無線送信回路２２１に接続することができるので、作業を開始するように無線送信回路２２１を制御することができ、または、無線充電中に異常が発生した場合に作業を停止するように無線送信回路２２１を制御することができる。または、いくつかの実施例では、第１の通信制御回路２２２は無線送信回路２２１に接続されなくてもよい。
【００９３】
図４の実施例とは異なり、図５の実施例は、図５の実施例は、無線送信回路２２１の送信電力調整の制御権を電源供給機器２１０に割り当てて、電源供給機器２１０が出力電圧および／または出力電流を変更する方式で無線送信回路２２１の送信電力を調整する。このような調整方式は、無線充電装置２２０の必要とする電力の分だけが電源供給機器２１０によって供給され、電力の無駄がないという利点を有する。
【００９４】
図５の実施例では、無線充電装置２２０は、電源供給機器２１０の出力電圧および／または出力電流を調整する必要があるか否かを能動的に決定することができる。他の実施例において、無線充電装置２２０は、電源供給機器２１０と充電対象機器２３０との間のブリッジとして機能することができ、主に両者の情報転送機能を奏する。
【００９５】
例えば、無線充電中に、第１の通信制御回路２２２は、充電対象機器２３０と通信して、電源供給機器２１０の出力電圧および／または出力電流を調整する必要があるか否かを決定する。電源供給機器２１０の出力電圧および／または出力電流を調整する必要がある場合、第１の通信制御回路２２２は、電源供給機器２１０と通信して、電源供給機器２１０の出力電圧および／または出力電流を調整するように電源供給機器２１０を命令する。
【００９６】
また、例えば、無線充電中に、無線充電装置２２０内部の通信制御回路２２２は、充電対象機器２３０と無線通信して、電源供給機器２１０の出力電圧および／または出力電流を調整するように命令するための調整情報を取得する。第１の通信制御回路２２２は、電源供給機器２１０と通信して、調整情報を電源供給機器２１０に送信することにより、電源供給機器２１０は、調整情報に基づいて電源供給機器の出力電圧および／または出力電流を調整する。
【００９７】
無線充電装置２２０と充電対象機器２３０との通信方式とが類似しており、無線充電装置２２０（または第１の通信制御回路２２２）と電源供給機器２１０との通信が、片方向通信であってもよく、 双方向通信であってもよいと理解すべきである。本願の実施例において特に限定されない。
【００９８】
さらに、電源供給機器の出力電流は、定直流電流、脈動直流電流または交流電流であってもよいことと理解すべきである。本願の実施例において特に限定されない。
【００９９】
以上、無線充電装置２２０が電源供給機器２１０に接続され、電源供給機器２１０から電力が供給されることを例示したが、本願の実施例は、これに限定されず、無線充電装置２２０もアダプタと類似な機能をその内部に統合することができる。これにより、外部から入力される交流電力（例えば、商用電源）を上記の電磁信号に直接変換することができる。例を挙げると、アダプタの機能は、無線充電装置２２０の無線送信回路２２１に統合することができる。例えば、整流回路、１次フィルタリング回路、および／または変圧器などを、無線送信回路２２１に統合することができる。このように、無線送信回路２２１は、外部から入力される交流電力（２２０Ｖの交流電力、または商用電源と呼ばれる）を受信し、当該交流電力に基づいて電磁信号を生成することができる。
【０１００】
本願の実施例は、無線充電装置２２０の内部にアダプタのような機能を統合するので、無線充電装置２２０は、外部の電源供給機器から電力を取得必要がなく、無線充電装置２２０の統合度を改善し、無線充電過程の必要なデバイス数を減らす。
【０１０１】
選択可能に、いくつかの実施例では、無線充電デバイス２２０は、第１の無線充電モードおよび第２の無線充電モードをサポートすることができる。第１の無線充電モードが採用されているときの無線送信回路の最大送信電力は、第２の無線充電モードが採用されているときの無線送信回路の最大送信電力より大きい。無線充電装置２２０が第１の無線充電モードで充電対象機器２３０を充電する速度は、無線充電装置２２０が第２の無線充電モードで充電対象機器２３０を充電する速度より速い。言い換えると、第２の無線充電モードで動作している無線充電装置２２０と比較して、第１の無線充電モードで動作している無線充電装置２２０によって、同じ容量の充電対象機器２３０内のバッテリの満充電までかかる時間より短い。
【０１０２】
第２の無線充電モードは通常無線充電モードと呼ばれてもよく、例えば、ＱＩ規格、ＰＭＡ規格、またはＡ４ＷＰ規格に基づく従来の無線充電モードであってもよい。第１の無線充電モードは、急速無線充電モードであってもよい。当該通常無線充電モードは、無線充電装置２２０の送信電力が小さい（通常１５Ｗ未満であり、常用の送信電力は５Ｗまたは１０Ｗである）無線充電モードを指してよく、通常無線充電モードで大容量のバッテリ（例えば、３０００ｍＡｈの容量のバッテリ）を満充電するためには、通常数時間がかかる必要があるが、急速無線充電モードの場合、無線充電装置２２０の送信電力がより大きい（通常１５Ｗ以上）。通常無線充電モードと比較して、急速無線充電モードで無線充電装置２２０が同じ容量のバッテリを完全に満充電するための必要な充電時間は大幅に短縮することができ、充電速度はより速い。
【０１０３】
選択可能に、いくつかの実施例において、第１の通信制御回路２２２と第２の通信制御回路２３５とは双方向通信を行って、第１の無線充電モードにおける無線充電装置２２０の送信電力を制御する。
【０１０４】
さらに、いくつかの実施例において、第１の通信制御回路２２２と第２の通信制御回路２３５とが双方向通信を行って、第１の無線充電モードにおける無線充電装置２２０の送信電力を制御する過程は、通信制御回路２２２と第２の通信制御回路２３５とが双方向通信を行って、無線充電装置２２０と充電対象機器２３０との間の無線充電モードをネゴシエートすることを含むことができる。
【０１０５】
具体的には、第１の通信制御回路２２２と第２の通信制御回路２３５とがハンドシェイク通信を行うことができ、ハンドシェイク通信が成功した場合、第１の無線充電モードで充電対象機器２３０を充電するように無線充電装置２２０を制御する。ハンドシェイク通信が失敗した場合、第２の無線充電モードで充電対象機器２３０を充電するように無線充電装置２２０を制御する。
【０１０６】
ハンドシェイク通信は、通信双方が互いの身分を識別することを指してもよい。ハンドシェイク通信が成功したことは、無線充電装置２２０および充電対象機器２３０が、いずれも本願の実施例によって提供される、送信電力が調整可能な無線充電モードをサポートすることを示すことができる。ハンドシェイク通信が失敗したことは、無線充電装置２２０および充電対象機器２３０の少なくとも一方が、本願の実施例によって提供される、送信電力が調整可能な無線充電モードをサポートしないことを示すことができる。
【０１０７】
本願の実施例において、無線充電装置２２０は、第１の無線充電モードを無条件に使用して急速無線充電を行うことではなく、充電対象機器２３０と双方向通信を行って、無線充電装置２２０が第１の無線充電モードで充電対象機器２３０の急速無線充電を行えるか否かをネゴシエーションする。これによって充電過程の安全性を向上させることができる。
【０１０８】
具体的には、第１の通信制御回路２２２が、第２の通信制御回路２３５と双方向無線通信を行って、無線充電装置２２０と充電対象機器２３０との間の無線充電モードをネゴシエートすることは、第１の通信制御回路２２２が、充電対象機器２３０が第１の無線充電モードをオンにするか否かを尋ねるための第１の指示を第２の通信制御回路２３５に送信することと、第１の通信制御回路２２２が、第２の通信制御回路２３５から送信された、充電対象機器２３０が第１の無線充電モードをオンにすることに同意するか否かを指示するための第１の指令の返事指令を受信することと、充電対象機器２３０が第１の無線充電モードをオンにすることに同意する場合、第１の通信制御回路２２２が、第１の無線充電モードで充電対象機器２３０を充電するように無線充電装置２２０を制御することと、を含むことができる。
【０１０９】
通信ネゴシエーションの方式に基づいて無線充電モードを決定することに加えて、第１の通信制御回路２２２は、さらに、他の要因に基づいて無線充電モードを選択または切り替えることもでき、例えば、第１の通信制御回路２２２は、さらに、バッテリ２３２の温度に基づいて、第１の無線充電モードまたは第２の無線充電モードでバッテリ２３２を充電するように無線充電装置２２０を制御することができる。
【０１１０】
例えば、温度が所定の第１の閾値（例えば、５℃、１０℃）より低い場合、第１の通信制御回路２２２は、第２の無線充電モードで通常充電を行うように無線充電装置２２０を制御することができ、温度が第１の閾値以上である場合、第１の通信制御回路２２２は、第１の無線充電モードで急速充電を行うように無線充電装置２２０を制御することができる。さらに、温度が高温閾値（例えば、５０℃）より高い場合、第１の通信制御回路２２２は、充電を停止するように無線充電装置２２０を制御することができる。
【０１１１】
なお、本願の実施例によって提供される送信電力が調整可能な無線充電方式は、バッテリ２３２の充電段階における１つまたは複数の充電段階を制御することに使用するができる。例えば、本願の実施例によって提供される送信電力が調整可能な無線充電方式は、主に、バッテリ２３２の定電流充電段階を制御することに使用するができる。他の実施例において、充電対象機器２３０は、変換回路を保留してもよく、バッテリがトリクル充電段階および定電圧充電段階にあるとき、図２に示されたものと同様の従来の無線充電方式で充電することができる。具体的には、バッテリ２３２がトリクル充電段階および定電圧充電段階にあるとき、充電対象機器２３０内の変換回路は、無線受信回路２３１の出力電圧および出力電流をトリクル充電段階および定電圧充電段階の充電需要を満たすように変換することができる。定電流充電段階と比較して、トリクル充電段階および定電圧充電段階においてバッテリ２３２が受信する充電電力は小さく、充電対象機器２３０内部の変換回路の効率変換損失および熱蓄積が許容される。図６を参照して以下に詳細に説明する。
【０１１２】
図６に示すように、充電対象機器２３０は、第２の充電通路２３６をさらに含むことができる。第２の充電通路２３６に変換回路２３７を設けることができる。変換回路２３７は、無線受信回路２３１の出力電圧および出力電流を受信し、無線受信回路２３１の出力電圧および／または出力電流を変換し、変換された電圧および／または電流に基づいてバッテリ２３２を充電する。第２の通信制御回路２３５は、さらに、第１の充電通路２３３と第２の充電通路２３６との切り替えを制御することができる。例えば、図６に示すように、第１の充電通路２３３にスイッチング２３８を設けることができ、第２の通信制御回路２３５は、スイッチング２３８の導通と切断を制御することにより、第１の充電通路２３３と第２の充電通路２３６との切り替えを制御することができる。
【０１１３】
例を挙げると、バッテリ２３２がトリクル充電段階および／または定電圧充電段階にあるとき、第２の通信制御回路２３５は、第２の充電通路２３６を使用してバッテリ２３２を充電するように制御することができ、バッテリの定電圧定電流過程は、変換回路２３７（例えば、充電ＩＣ）によって制御することができる。バッテリ２３２が定電流充電段階にあるとき、第１の充電通路２３３を使用してバッテリ２３２を充電するように制御することができ、バッテリの定電流制御は、無線充電装置が送信電力を調整することによって実現することができる。変換回路２３７を保留することは、従来の無線充電方式とよりよく互換することができる。
【０１１４】
一実施例では、充電対象機器は、第１の充電通路に設けられた降圧回路をさらに含む。降圧回路は、無線受信回路の出力電圧を受信し、無線受信回路の出力電圧を降圧処理してバッテリを充電する。本開示の実施例では、降圧回路の実現形態は様々であり得る。一例として、降圧回路は、Ｂｕｃｋ回路であっても良い。別の例として、降圧回路２３９は、チャージポンプ（ｃｈａｒｇｅ  ｐｕｍｐ）であっても良い。チャージポンプは、複数のスイッチング素子から構成されており、スイッチング素子に流れる電流による発熱は非常に小さく、配線に直接流れる電流による発熱とほぼ同等であるため、降圧回路としてチャージポンプ使用することで電圧を下げることができるだけでなく、発熱も少ない。一例として、降圧回路は、半電圧回路であっても良い。入力電圧に対する半電圧回路の出力電圧の比が一定であるので、降圧回路の電圧差を安定させ、降圧回路の発熱を低減することができる。
【０１１５】
本開示の実施例では、第１の充電通路の出力電圧値および／または出力電流は、無線受信回路と降圧回路との間の電圧および／または電流、すなわち無線受信回路および／または無線受信回路の出力電圧を指すことができる。または、第１の充電通路の出力電圧値および／または出力電流は、降圧回路とバッテリとの間の電圧値および／または電流値、すなわち降圧回路の出力電圧および／または出力電流、またはバッテリに入る電圧および/または電流を指すこともできる。また、第１の充電通路が降圧回路を備えていない場合、第１の充電通路の出力電圧値および／または出力電流は、無線受信回路の出力電圧および／または電流、またはバッテリに入る電圧および／または電流を指すことができる。 
【０１１６】
従来技術と比較して、本願の実施例における無線充電装置と充電対象機器とは上記の無線通信の方式を採用することにより、充電に使用される送信コイルおよび受信コイルによって通信機能を担う必要がないので、コイル通信による出力電圧のリップル問題がなくなる。一方、無線受信コイルから出力される電圧リップルについては、リップルが処理されないと、充電安全の問題が生じる可能性がある。本願の実施例によれば、電圧リップルを無くすことができるので、リップルを処理するための回路を省略し、充電対象機器の充電回路の複雑さを軽減し、充電効率を向上させ、回路設置スペースを節約することができる。第１の充電通路を介してバッテリを充電する場合、第１の充電通路には降圧回路のみを設けることができる。また、充電対象機器は、バッテリに入る電圧、電流または電力などの情報をリアルタイムに無線充電装置にフィードバックするので、無線充電装置は、送信電力をリアルタイムに調整することができ、電圧リップルによる影響がなくなり、降圧回路は半電圧回路を採用することができ、回路の複雑さがさらに低減され、温度上昇の抑制および充電効率の向上に有利である。
【０１１７】
なお、第１の充電通路２３３および第２の充電通路２３６の選定方式は、様々であり得る。バッテリ２３２の現在の充電段階に基づいて選定されることに限定されない。
【０１１８】
選択可能に、いくつかの実施例において、第２の通信制御回路２３５は、さらに、無線通信によって第１の通信制御回路２２２とハンドシェイク通信を行うことができ、ハンドシェイク通信が成功した場合、第１の充電通路２３３を動作するように制御し、ハンドシェイク通信が失敗した場合、第２の充電通路２３６を動作するように制御する。
【０１１９】
ハンドシェイク通信は、通信双方が互いの身分を識別することを指してもよい。ハンドシェイク通信が成功したことは、無線充電装置２２０および充電対象機器２３０が、いずれも本願の実施例によって提供される、送信電力が調整可能な無線充電モードをサポートすることを示すことができる。ハンドシェイク通信が失敗したことは、無線充電装置２２０および充電対象機器２３０の少なくとも一方が、本願の実施例によって提供される、送信電力が調整可能な無線充電モードをサポートしないことを示すことができる。ハンドシェイク通信が失敗した場合、ＱＩ規格に基づく無線充電方式などの従来の無線充電方式で第２の充電通路２３６を介して充電することができる。
【０１２０】
選択可能に、他の実施例において、第２の通信制御回路２３５は、バッテリ２３２の温度に基づいて第１の充電通路２３３と第２の充電通路２３６との切り替えを制御することができる。
【０１２１】
例えば、温度が所定の第１の閾値（例えば、５℃または１０℃）より低い場合、第２の通信制御回路２３５は、第２の充電通路２３６を用いて通常の無線充電を行うように制御することができる。温度が第１の閾値以上である場合、第２の通信制御回路２３５は、第１の充電通路２３３を用いて急速無線充電を行うように制御することができる。さらに、温度が高温閾値（例えば、５０℃）より高い場合、第２の通信制御回路２３５は、無線充電を停止するように制御することができる。
【０１２２】
上述したように、無線受信回路２３１の出力電流は、脈動直流とすることができ、これによってバッテリ２３２のリチウム析出現象を低減し、バッテリの使用寿命を向上させることができる。無線受信回路２３１が脈動直流を出力する場合、第２の通信制御回路２３５は、検出回路２３４によって脈動直流のピーク値または平均値を検出し、脈動直流のピーク値または平均値に基づいて以降の通信または制御を行うことができる。
【０１２３】
検出回路２３４が脈動直流のピーク値を検出することを例とし、図７に示すように、検出回路２３４は、サンプリング保持回路２３４１を含むことができ、サンプリング保持回路２３４１がサンプリング状態にある場合、サンプリング保持回路２３４１は、脈動直流をサンプリングし、サンプリング保持回路２３４１が保持状態にあるとき、サンプリング保持回路２３４１は脈動直流の電流のピーク値を保持する。第２の通信制御回路２３５は、さらに、サンプリング保持回路２３４１が保持状態にあるか否かを判断し、サンプリング保持回路２３４１が保持状態にあると判定した場合、サンプリング保持回路２３４１によって保持されている脈動直流の電流のピーク値を取得する。
【０１２４】
選択可能に、いくつかの実施例において、サンプリング保持回路２３４１はコンデンサを含むことができ、サンプリング保持回路２３４１は、サンプリング保持回路２３４１内のコンデンサに基づいて脈動直流の電流のピーク値を保持することができる。検出回路２３４は、放電回路２３４２をさらに含むことができる。第２の通信制御回路２３５は、放電回路２３４２によってサンプリング保持回路２３４１内のコンデンサの両端の電荷を放電することができ、これによってサンプリング保持回路２３４１が保持状態からサンプリング状態に変換することができる。
【０１２５】
選択可能に、いくつかの実施例において、無線充電装置２２０は、外部インターフェースおよび無線データ送信回路をさらに含むことができ、当該外部インターフェースは、データ処理および送信機能を有する電子機器に接続することができ、当該外部インターフェースは、前述した充電インターフェースであってもよく、他のインタフェースであっても良い。第１の通信制御部２２２は、さらに、データ処理及び送信機能を有する電子機器に外部インターフェースが接続されている間に、前記電子機器の出力電力に基づいて充電対象機器２３０を無線充電することができる。無線データ送信回路は、前記無線充電制御ユニットが前記電子機器の出力電力に基づいて充電対象機器２３０を無線充電する際に、無線リンクを介して前記電子機器に記憶されているデータを充電対象機器２３０に送信するか、または、無線リンクを介して前記充電対象機器に記憶されているデータを前記電子機器２３０に送信することができる。前記無線データ送信回路は、ＵＳＢプロトコルフォーマットのデータ、ディスプレイポート（ｄｉｓｐｌａｙ  ｐｏｒｔ、ＤＰ）プロトコルフォーマットのデータ、およびモバイル高精細リンクＭＨＬ（ｍｏｂｉｌｅ  ｈｉｇｈ−ｄｅｆｉｎｉｔｉｏｎ  ｌｉｎｋ  ＭＨＬ）プロトコルフォーマットのデータのうちの少なくとも１つを送信する。
【０１２６】
本願の実施例について、具体的な例を参照して以下にさらに詳細に説明する。図８は、無線充電装置が無線充電ベースであり、電源供給機器がアダプタであり、充電対象が携帯電話機であることを例としての説明図である。なお、図８の例は、単に当業者が本願の実施例を理解することを容易にするためのものであり、本願の実施例を例示された具体的な数値または具体的なシナリオに限定するものではない。明らかに、当業者であれば、示された図８の例に基づいて、様々な同等修正または変更を加えることが可能であり、それらの修正または変形も本願の実施例の範囲内である。
【０１２７】
ステップ１において、携帯電話は無線充電ベースと無線通信する。
具体的には、携帯電話と無線充電ベースとの双方向通信の通信プロトコルは、製造業者によってカスタマイズすることができる。また、携帯電話と無線充電ベースとは、ブルートゥース、Ｗｉ−Ｆｉ、バックスキャッタ変調方式を介して通信することができる。
【０１２８】
ステップにおいて、無線充電ベースはアダプタと有線双方向通信する。
具体的には、無線充電ベースとアダプタとの双方向通信の通信プロトコルは、製造業者によってカスタマイズすることができる。また、無線充電ベースとアダプタとは、ＵＳＢケーブルを介して（例えば、ＵＳＢケーブル内のＤ＋およびＤ−データ線を介して）通信することができる。
【０１２９】
ステップ３において、無線充電ベースは、アダプタに接続されるとともに、アダプタと通信シェイクを行う。
具体的には、無線充電ベースがアダプタに接続された後、アダプタと通信ハンドシェイクを行って、アダプタのタイプとアダプタが提供できる電力レベルとを決定することができる。
【０１３０】
ステップ４において、無線充電ベースは携帯電話に接続されるとともに、携帯電話と通信シェイクを行う。
具体的には、無線充電ベースが携帯電話に接続された後、携帯電話と通信シェイクを行って、携帯電話のタイプを決定し、携帯電話がサポートできる電力レベルを決定することができる。
ステップ５において、無線充電ベースと、携帯電話およびアダプタとの通信シェイクが成功した後、無線充電を開始する。
【０１３１】
携帯電話内部の無線受信回路は、バッテリを直接充電することができる。バッテリの現在位置する充電段階に基づいて無線受信回路の出力電流または出力電圧を調整することができるために、携帯電話内部の通信制御回路は、無線充電中に無線充電ベースと通信し、無線充電ベースがリアルタイムに無線送信回線の送信電力を調整するように命令することができる。例えば、携帯電話機内部の通信制御回路は、バッテリの現在の状態をリアルタイムに取得し、バッテリの現在の状態に基づいて無線充電装置に調整情報を送信することができ、当該調整情報は、アダプタの出力電圧または出力電流を調整するために使用される。無線充電装置は、当該調整情報を受信した後、アダプタと双方向通信して、アダプタにその出力電圧および／または出力電流を調整するように命令することができる。
【０１３２】
なお、無線充電ベースが携帯電話およびアダプタのいずれか一方とハンドシェイク通信することが失敗した場合、無線充電ベースは、従来の無線充電方式で充電することができる。例えば、無線充電ベースは、ＱＩ規格に基づいて、５Ｗの電力（５Ｗは、ＱＩ規格における低電力レベルに対応する）を採用して充電対象機器を無線充電することができる。
【０１３３】
本開示の一実施例では、無線送信回路は、インバータ回路と共振回路とを含む。インバータ回路は、複数のスイッチングトランジスタを含むことができ、スイッチングトランジスタの導通時間（デューティ比）を制御することによって出力電力の大きさを調整することができる。共振回路は、電気エネルギーを送信する。例えば、共振回路は、コンデンサと送信コイルとを含むことができる。共振回路の共振周波数を調整することにより、無線送信回路の出力電力を調整することができる。
【０１３４】
本開示の一実施例では、無線充電装置は、電圧変換回路をさらに含む。電圧変換回路は、電源供給機器によって供給される入力電圧を受信し、前記入力電圧を変換して、前記電圧変換回路の出力電圧および出力電流を取得する。無線送信回路は、電圧変換回路の出力電圧および出力電流に基づいて電磁信号を送信する。例えば、電圧変換回路は、Ｂｏｏｓｔ回路またはＢｕｃｋ回路であってもよい。
【０１３５】
一実施例では、第１の通信制御回路は、電圧変換回路の出力電圧および／または出力電流を調整して、無線送信回路の送信電力を調整する。
【０１３６】
一実施例では、第１の通信制御回路は、無線送信回路の送信電力を調整するように、インバータ回路のデューティ比および／または共振回路の共振周波数を調整する。本開示の一実施例では、充電対象機器のバッテリは、単一のバッテリセルまたは複数のバッテリセルを含むことができる。バッテリが複数のバッテリセルを含む場合、当該複数のバッテリセルは直列の関係である。したがって、バッテリが耐えることができる充電電圧は、複数のバッテリセルが耐えることができる充電電圧の合計であり、充電速度を向上させ、充電による発熱を減らすことができる。
【０１３７】
充電対象機器が携帯電話であることを例とすると、充電対象機器のバッテリが単一のセルを含む場合、内部の単一のバッテリセルの電圧は一般に３．０Ｖ〜４．３５Ｖの間である。充電対象機器のバッテリが直列接続された２つのバッテリセルを含む場合、直列接続された２つのバッテリセルの合計電圧は６．０Ｖ〜８．７Ｖである。これにより、単一のバッテリセルと比較して、直列接続されたマルチバッテリセルの場合の無線受信回路の出力電圧を向上させることができる。単一のバッテリセルと比較して、同じ充電速度を達成するために、マルチバッテリセルに必要とされる充電電流は、単一のバッテリセルに必要とされる充電電流の約１／Ｎである（Ｎは、充電対象機器内の直列接続されたセル数である）。言い換えれば、同じ充電速度（充電電力が同じ）を確保することを前提として、マルチバッテリセル方式を採用することによって充電電流の大きさを小さくすることができ、充電中の充電対象機器の発熱を減らすことができる。一方、単一のバッテリセル方式と比較して、同じ充電電流を維持する場合、直列接続されたマルチバッテリセル方式を採用することによって充電電圧を向上させ、充電速度を向上させることができる。
【０１３８】
以上、図２〜図８を参照して本願の装置の実施例を詳細に説明したが、以下、図９〜図１１を参照して本願の方法の実施例を詳細に説明する。方法の実施例は、装置の実施例に対応しているので、詳細に説明していない部分は、上述した各装置の実施例を参照することができる。
【０１３９】
これに対応して、本願の実施例は、無線充電装置に適用される無線充電方法をさらに提供し、当該方法は、
充電対象機器に対する無線充電中に、充電対象機器と無線通信するステップを含む。
ここで、無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。
【０１４０】
それに対応して、本願の実施例は、充電対象機器に適用される無線充電方法をさらに提供し、当該方法は、
バッテリの無線充電中に、無線充電装置と無線通信するステップを含み、
ここで、無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。
【０１４１】
図９は、本願の実施例によって提供される無線充電方法の概略フローチャートである。図９の方法は、上記の無線充電システム（例えば、無線充電システム２００）によって実行することができる。前記無線充電システムは、無線充電装置と充電対象機器とを含む。
前記無線充電装置は、
電磁信号を送信して前記充電対象機器を無線充電する無線送信回路を含み、
前記充電対象機器は、
バッテリと、
前記電磁信号を受信し、前記電磁信号を前記無線受信回路の出力電圧および出力電流に変換する無線受信回路と、
前記無線受信回路の出力電圧および出力電流を受信し、前記無線受信回路の出力電圧および出力電流に基づいて前記バッテリを充電する第１の充電通路と、
前記無線受信回路の出力電圧および／または出力電流を検出する検出回路と、を含む。
【０１４２】
図９の方法は、
前記充電対象機器が前記検出回路によって検出された前記無線受信回路の出力電圧および／または出力電流に基づいて前記無線充電装置と無線通信を行うことにより、前記無線充電装置が前記無線送信回路の送信電力を調整して、前記無線受信回路の出力電圧および／または出力電流を前記バッテリの現在の充電段階とマッチングさせるステップ９１０を含む。
【０１４３】
選択可能に、いくつかの実施例では、前記無線充電装置は、充電インターフェースをさらに含み、前記無線送信回路は、さらに、前記充電インターフェースを介して電源供給機器の出力電圧および出力電流を受信し、前記電源供給機器の出力電圧および出力電流に基づいて、前記電磁信号を生成する。
【０１４４】
選択可能に、いくつかの実施例では、図９の方法は、前記無線充電装置が前記電源供給機器と通信して前記電源供給機器の出力電力をネゴシエーションするステップをさらに含むことができる。
【０１４５】
選択可能に、いくつかの実施例では、前記無線充電装置が前記電源供給機器と通信して前記電源供給機器の出力電力をネゴシエーションするステップは、前記無線充電装置が前記電源供給機器と通信して前記電源供給機器の最大出力電力をネゴシエーションするステップを含むことができる。前記無線充電装置が前記無線送信回路の送信電力を調整するステップは、前記無線送信回路が前記電力供給機器の最大出力電力に基づいて前記充電対象機器を無線充電する過程において、前記無線充電装置が、前記最大出力電力から前記無線送信回路によって抽出される電力量を調整して、前記無線送信回路の送信電力を調整するステップを含むことができる。
【０１４６】
選択可能に、いくつかの実施例では、前記無線充電装置が前記無線送信回路の送信電力を調整するステップは、前記無線充電装置が前記電源供給機器と通信することにより、前記電源供給機器の出力電圧および/または出力電流が調整され、前記無線送信回路の送信電力が調整されるステップを含むことができる。
【０１４７】
選択可能に、いくつかの実施例では、前記充電対象機器が前記検出回路によって検出された前記無線受信回路の出力電圧および／または出力電流に基づいて、前記無線充電装置と無線通信することにより、前記無線充電装置が前記無線送信回路の送信電力を調整するステップは、前記電源供給機器が、前記電源供給機器の出力電圧および／または出力電流を調整するように前記無線充電装置に指令するための調整情報を前記無線充電装置に送信するステップを含むことができる。
【０１４８】
選択可能に、いくつかの実施例では、前記バッテリの現在の充電段階は、トリクル充電段階、定電圧充電段階、および定電流充電段階のうちの少なくとも１つを含む。
【０１４９】
選択可能に、いくつかの実施例では、前記充電対象機器が前記検出回路によって検出された前記無線受信回路の出力電圧および／または出力電流に基づいて、前記無線充電装置と無線通信することにより、前記無線充電装置が前記無線受信回路の出力電圧および／または出力電流に基づいて、前記無線送信回路の送信電力を調整するステップは、前記バッテリの定電圧充電段階において、前記充電対象機器が前記検出回路によって検出された前記無線受信回路の出力電圧および／または出力電流に基づいて、前記無線充電装置と無線通信することにより、前記無線充電装置が前記無線送信回路の送信電力を調整して、前記無線受信回路の出力電圧を前記定電圧充電段階に対応する充電電圧とマッチングさせるステップを含むことができる。
【０１５０】
選択可能に、いくつかの実施例では、前記充電対象機器が前記検出回路によって検出された前記無線受信回路の出力電圧および／または出力電流に基づいて、前記無線充電装置と無線通信することにより、前記無線充電装置が前記無線受信回路の出力電圧および／または出力電流に基づいて、前記無線送信回路の送信電力を調整するステップは、前記バッテリの定電流充電段階において、前記充電対象機器が前記検出回路によって検出された前記無線受信回路の出力電圧および／または出力電流に基づいて、前記無線充電装置と無線通信することにより、前記無線充電装置が前記無線送信回路の送信電力を調整して、前記無線受信回路の出力電流を前記定電流充電段階に対応する充電電流とマッチングさせるステップを含むことができる。
【０１５１】
選択可能に、いくつかの実施例では、図９の方法は、前記充電対象機器が、前記充電対象機器内のバッテリの現在の電気量および／または現在の電圧を含むバッテリ状態情報を前記無線充電装置に送信することにより、前記無線充電装置が前記バッテリ状態情報に基づいて前記無線充電装置の送信電力を調整するステップをさらに含むことができる。
【０１５２】
選択可能に、いくつかの実施例では、前記無線充電装置と前記充電対象機器との間の通信情報は、前記バッテリの温度情報と、前記無線受信回路の出力電圧および／または出力電流のピーク値または平均値を示す情報と、過電圧保護または過電流保護に入ることを示す情報と、前記無線送信回路と前記無線受信回路との間の電力送信効率を示すための電力送信効率情報とのうちの少なくとも１つを含む。
【０１５３】
選択可能に、いくつかの実施例では、前記通信情報は前記電力送信効率情報を含み、図９の方法は、前記無線充電装置が、前記電力送信効率情報に基づいて前記無線送信回路の送信電力の調整幅を決定するステップをさらに含むことができる。
【０１５４】
選択可能に、いくつかの実施例では、前記充電対象機器は、第２の充電通路をさらに含み、前記第２の充電通路に変換回路が設けられ、前記変換回路は、前記無線受信回路の出力電流を受信し、前記無線受信回路の出力電流を変換し、変換された電流に基づいて前記バッテリを充電する。図９の方法は、前記充電対象機器が前記第１の充電通路と前記第２の充電通路との切り替えを制御するステップをさらに含むことができる。
【０１５５】
選択可能に、いくつかの実施例では、図９の方法は、前記充電対象機器が前記無線充電装置とハンドシェイク通信を行って、前記ハンドシェイク通信が成功した場合、前記第１の充電通路を動作するように制御し、前記ハンドシェイク通信が失敗した場合、前記第２の充電通路を動作するように制御するステップをさらに含むことができる。
【０１５６】
選択可能に、いくつかの実施例では、図９の方法は、前記充電対象機器が前記バッテリの温度に基づいて、前記第１の充電通路と前記第２の充電通路との切り替えを制御するステップをさらに含むことができる。 
【０１５７】
選択可能に、いくつかの実施例では、前記無線充電装置は、第１の無線充電モードおよび第２の無線充電モードをサポートし、前記無線充電装置が前記第１の無線充電モードで前記充電対象機器を充電する速度は、前記無線充電装置が前記第２の無線充電モードで前記充電対象機器を充電する速度より速い。
【０１５８】
選択可能に、いくつかの実施例では、図９の方法は、前記無線充電装置が前記充電対象機器と通信して、前記第１の無線充電モードまたは前記第２の無線充電モードで無線充電を行うことをネゴシエーションするステップをさらに含むことができる。 
【０１５９】
選択可能に、いくつかの実施例では、前記無線充電装置が前記充電対象機器と通信して、前記第１の無線充電モードまたは前記第２の無線充電モードで無線充電を行うことをネゴシエーションするステップは、前記無線充電装置が前記充電対象機器とハンドシェイク通信し、前記ハンドシェイク通信が成功した場合、前記第１の無線充電モードで前記充電対象機器を充電するように前記無線充電装置が制御され、前記ハンドシェイク通信が失敗した場合、前記第２の無線充電モードで前記充電対象機器を充電するように前記無線充電装置が制御されるステップを含むことができる。
【０１６０】
選択可能に、いくつかの実施例では、図９の方法は、前記無線充電装置が前記バッテリの温度に基づいて、前記第１の無線充電モードまたは前記第２の無線充電モードで前記バッテリを充電するように前記無線充電装置を制御するステップをさらに含むことができる。
【０１６１】
図１０は、本願の別の実施例によって提供される無線充電方法の概略フローチャートである。図１０の方法は、無線充電装置（例えば、上記の無線充電装置２２０）によって実行することができる。前記無線充電装置は、充電対象機器を無線充電するために電磁信号を送信する無線送信回路を含む。
【０１６２】
図１０の方法は、
前記無線充電中に、前記充電対象機器と無線通信することにより、前記無線送信回路の送信電力が調整され、前記充電対象機器内の無線受信回路の出力電圧および／または出力電流を前記充電対象機器内のバッテリの現在の充電段階とマッチングさせるステップ１０１０を含み、
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。 
【０１６３】
選択可能に、いくつかの実施例では、前記無線充電装置は、充電インターフェースをさらに含み、前記無線送信回路は、さらに、前記充電インターフェースを介して電源供給機器の出力電圧および出力電流を受信し、前記電源供給機器の出力電圧および出力電流に基づいて、前記電磁信号を生成する。
【０１６４】
選択可能に、いくつかの実施例では、図１０の方法は、前記電源供給機器と通信して前記電源供給機器の出力電力をネゴシエーションするステップをさらに含むことができる。
【０１６５】
選択可能に、いくつかの実施例では、前記電源供給機器と通信して前記電源供給機器の出力電力をネゴシエーションするステップは、前記電源供給機器と通信して前記電源供給機器の最大出力電力をネゴシエーションするステップを含むことができる。前記無線送信回路の送信電力を調整するステップは、前記無線送信回路が前記電力供給機器の最大出力電力に基づいて前記充電対象機器を無線充電する過程において、前記最大出力電力から前記無線送信回路によって抽出される電力量を調整して、前記無線送信回路の送信電力を調整するステップを含むことができる。
【０１６６】
選択可能に、いくつかの実施例では、前記無線送信回路の送信電力を調整するステップは、前記電源供給機器と通信することにより、前記電源供給機器の出力電圧および/または出力電流が調整され、前記無線送信回路の送信電力が調整されるステップを含むことができる。
【０１６７】
選択可能に、いくつかの実施例では、前記無線充電中に、前記充電対象機器と無線通信することにより、前記無線送信回路の送信電力が調整されるステップは、前記充電対象機器から送信された、前記電源供給機器の出力電圧および／または出力電流を調整するように前記無線充電装置に指令するための調整情報を受信するステップを含むことができる。
【０１６８】
選択可能に、いくつかの実施例では、前記バッテリの現在の充電段階は、トリクル充電段階、定電圧充電段階、および定電流充電段階のうちの少なくとも１つを含む。
【０１６９】
選択可能に、いくつかの実施例では、前記無線充電中に、前記充電対象機器と無線通信することにより、前記無線送信回路の送信電力を調整して、前記充電対象機器内の無線受信回路の出力電圧および／または出力電流を前記バッテリの現在の充電段階にマッチングさせるステップは、前記バッテリの定電圧充電段階において、前記充電対象機器と無線通信することにより、前記無線送信回路の送信電力を調整して、前記無線受信回路の出力電圧を前記定電圧充電段階に対応する充電電圧とマッチングさせるステップを含むことができる。
【０１７０】
選択可能に、いくつかの実施例では、前記無線充電中に、前記充電対象機器と無線通信することにより、前記無線送信回路の送信電力を調整して、前記充電対象機器内の無線受信回路の出力電圧および／または出力電流を前記バッテリの現在の充電段階にマッチングさせるステップは、前記バッテリの定電流充電段階において、前記充電対象機器と無線通信することにより、前記無線送信回路の送信電力を調整して、前記無線受信回路の出力電流を前記定電流充電段階に対応する充電電流とマッチングさせるステップを含むことができる。
【０１７１】
選択可能に、いくつかの実施例では、図１０の方法は、前記充電対象機器から送信された、前記バッテリの現在の電気量および／または現在の電圧を含むバッテリ状態情報を受信し、前記バッテリ状態情報に基づいて前記無線送信回路の送信電力を調整するステップをさらに含むことができる。
【０１７２】
選択可能に、いくつかの実施例では、前記無線充電装置と前記充電対象機器との間の通信情報は、前記バッテリの温度情報と、前記無線受信回路の出力電圧および／または出力電流のピーク値または平均値を示す情報と、過電圧保護または過電流保護に入ることを示す情報と、前記無線送信回路と前記無線受信回路との間の電力送信効率を示すための電力送信効率情報とのうちの少なくとも１つを含む。
【０１７３】
選択可能に、いくつかの実施例では、前記通信情報は前記電力送信効率情報を含み、図１０の方法は、前記電力送信効率情報に基づいて前記無線送信回路の送信電力の調整幅を決定するステップをさらに含むことができる。
【０１７４】
選択可能に、いくつかの実施例では、前記無線充電装置は、第１の無線充電モードおよび第２の無線充電モードをサポートし、前記無線充電装置が前記第１の無線充電モードで前記充電対象機器を充電する速度は、前記無線充電装置が前記第２の無線充電モードで前記充電対象機器を充電する速度より速い。
【０１７５】
選択可能に、いくつかの実施例では、図１０の方法は、前記充電対象機器と通信して、前記第１の無線充電モードまたは前記第２の無線充電モードで無線充電を行うことをネゴシエーションするステップをさらに含むことができる。 
【０１７６】
選択可能に、いくつかの実施例では、前記充電対象機器と通信して、前記第１の無線充電モードまたは前記第２の無線充電モードで無線充電を行うことをネゴシエーションするステップは、前記充電対象機器とハンドシェイク通信を行い、前記ハンドシェイク通信が成功した場合、前記第１の無線充電モードで前記充電対象機器を充電するように前記無線充電装置が制御され、前記ハンドシェイク通信が失敗した場合、前記第２の無線充電モードで前記充電対象機器を充電するように前記無線充電装置が制御されるステップを含むことができる。
【０１７７】
選択可能に、いくつかの実施例では、図１０の方法は、前記バッテリの温度に基づいて、前記第１の無線充電モードまたは前記第２の無線充電モードで前記バッテリを充電するように前記無線充電装置を制御するステップをさらに含むことができる。 
【０１７８】
図１１は、本願の別の実施例によって提供される無線充電方法の概略フローチャートである。図１１の方法は、充電対象機器（例えば、上記の充電対象機器２３０）によって実行することができる。充電対象機器は、バッテリと、電磁信号を受信し、前記電磁信号を前記無線受信回路の出力電圧および出力電流に変換する無線受信回路と、前記無線受信回路の出力電圧および出力電流を受信し、前記無線受信回路の出力電圧および出力電流に基づいて前記バッテリを充電する第１の充電通路と、前記無線受信回路の出力電圧および／または出力電流を検出する検出回路と、を含む。
【０１７９】
図１１の方法は、
前記検出回路によって検出された前記無線受信回路の出力電圧および／または出力電流に基づいて前記無線充電装置と無線通信を行うことにより、前記無線充電装置の送信電力が調整され、前記無線受信回路の出力電圧および／または出力電流を前記バッテリの現在の充電段階とマッチングさせるステップ１１１０を含み
前記無線通信の方式は、ブルートゥース通信、Ｗｉ−Ｆｉ通信、高搬送波周波数に基づく近距離無線通信、光通信、超音波通信、超広帯域通信、およびモバイル通信のうちのいずれか１つまたは複数を含む。 
【０１８０】
選択可能に、いくつかの実施例では、前記検出回路によって検出された前記無線受信回路の出力電圧および／または出力電流に基づいて前記無線充電装置と無線通信を行うことにより、前記無線充電装置の送信電力が調整されるステップは、
前記電源供給機器の出力電圧および／または出力電流を調整するように前記無線充電装置に指令するための調整情報を前記無線充電装置に送信するステップを含む。
【０１８１】
選択可能に、いくつかの実施例では、前記バッテリの現在の充電段階は、トリクル充電段階、定電圧充電段階、および定電流充電段階のうちの少なくとも１つを含む。
【０１８２】
択可能に、いくつかの実施例では、前記検出回路によって検出された前記無線受信回路の出力電圧および／または出力電流に基づいて前記無線充電装置と無線通信を行うことにより、前記無線充電装置の送信電力が調整され、前記無線受信回路の出力電圧および／または出力電流をバッテリの現在の充電段階とマッチングさせるステップは、前記バッテリの定電圧充電段階において、前記検出回路によって検出された前記無線受信回路の出力電圧および／または出力電流に基づいて前記無線充電装置と無線通信を行うことにより、前記無線送信回路の送信電力が調整され、前記無線受信回路の出力電圧を前記定電圧充電段階に対応する充電電圧とマッチングさせるステップを含むことができる。
【０１８３】
選択可能に、いくつかの実施例では、前記検出回路によって検出された前記無線受信回路の出力電圧および／または出力電流に基づいて前記無線充電装置と無線通信を行うことにより、前記無線充電装置の送信電力が調整され、前記無線受信回路の出力電圧および／または出力電流をバッテリの現在の充電段階とマッチングさせるステップは、前記バッテリの定電流充電段階において、前記検出回路によって検出された前記無線受信回路の出力電圧および／または出力電流に基づいて前記無線充電装置と無線通信を行うことにより、前記無線送信回路の送信電力が調整され、前記無線受信回路の出力電流を前記定電流充電段階に対応する充電電流とマッチングさせるステップを含むことができる。
【０１８４】
選択可能に、いくつかの実施例では、図１１の方法は、前記充電対象機器内のバッテリの現在の電気量および／または現在の電圧を含むバッテリ状態情報を前記無線充電装置に送信することにより、前記無線充電装置が前記バッテリ状態情報に基づいて前記無線送信回路の送信電力を調整するステップをさらに含むことができる。
【０１８５】
選択可能に、いくつかの実施例では、前記無線充電装置と前記充電対象機器との間の通信情報は、前記バッテリの温度情報と、前記無線受信回路の出力電圧および／または出力電流のピーク値または平均値を示す情報と、過電圧保護または過電流保護に入ることを示す情報と、前記無線充電装置と前記無線受信回路との間の電力送信効率を示すための電力送信効率情報とのうちの少なくとも１つを含む。    
【０１８６】
選択可能に、いくつかの実施例では、前記充電対象機器は、第２の充電通路をさらに含み、前記第２の充電通路に変換回路が設けられ、前記変換回路は、前記無線受信回路の出力電流を受信し、前記無線受信回路の出力電流を変換し、変換された電流に基づいて前記バッテリを充電する。図１１の方法は、前記第１の充電通路と前記第２の充電通路との切り替えを制御するステップをさらに含むことができる。
【０１８７】
選択可能に、いくつかの実施例では、図１１の方法は、前記無線充電装置とハンドシェイク通信を行って、前記ハンドシェイク通信が成功した場合、前記第１の充電通路を動作するように制御し、前記ハンドシェイク通信が失敗した場合、前記第２の充電通路を動作するように制御するステップをさらに含むことができる。
【０１８８】
選択可能に、いくつかの実施例では、図１１の方法は、前記バッテリの温度に基づいて、前記第１の充電通路と前記第２の充電通路との切り替えを制御するステップをさらに含むことができる。 
【０１８９】
選択可能に、いくつかの実施例では、前記無線充電装置は、第１の無線充電モードおよび第２の無線充電モードをサポートし、前記無線充電装置が前記第１の無線充電モードで前記充電対象機器を充電する速度は、前記無線充電装置が前記第２の無線充電モードで前記充電対象機器を充電する速度より速い。図１１の方法は、前記無線充電装置と通信して、前記第１の無線充電モードまたは前記第２の無線充電モードで無線充電を行うことをネゴシエーションするステップをさらに含むことができる。
【０１９０】
上記の実施例において、全体的にまたは部分的にソフトウェア、ハードウェア、ファームウェアまたは他の任意の組み合わせによって実現されてもよい。ソフトウェアで実現されるとき、全体的にまたは部分的に、１つまたは複数のコンピュータ命令を含むコンピュータプログラム製品の形で実施されてもよい。前記コンピュータプログラム命令がコンピュータにロードされ実行されると、本願の実施例に記載の過程または機能は、全体的にまたは部分的に生成される。前記コンピュータは、汎用コンピュータ、専用コンピュータ、コンピュータネットワーク、または他のプログラマブル可能な装置であってもよい。前記コンピュータ命令は、コンピュータ読み取り可能記憶媒体に格納することができるし、または１つのコンピュータ読み取り可能記憶媒体から別のコンピュータ読み取り可能記憶媒体に転送することもできる。例えば、前記コンピュータ命令は、１つのウェブサイト、コンピュータ、サーバ、またはデータセンタから有線（例えば、同軸ケーブル、光ファイバ、デジタル加入者線（ｄｉｇｉｔａＬ ｓｕｂｓｃｒｉｂｅｒ Ｌｉｎｅ、ＤＳＬ））または無線（例えば、赤外線、無線、マイクロ波など）を介して別のウェブサイト、コンピュータ、サーバ、またはデータセンタに転送することができる。前記コンピュータ可読記憶媒体は、コンピュータによってアクセスすることができる任意の利用可能な媒体、または１つまたは複数の利用可能な媒体を含むサーバ、データセンタなどのデータ記憶装置であってもよい。前記利用可能な媒体は、磁気媒体（例えば、フロッピーディスク、ハードディスク、磁気テープ）、光学媒体（デジタルビデオディスク（ｄｉｇｉｔａｌ ｖｉｄｅｏ ｄｉｓｃ、ＤＶＤ））、または半導体媒体（例えば、ソリッドステートディスク（ｓｏｌｉｄ ｓｔａｔｅ ｄｉｓｋ、ＳＳＤ））などであってもよい。
【０１９１】
当業者は、以下のことを意識することができる。本願に開示されている実施例に合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本願の範囲を超えたと考えるべきでない。
【０１９２】
本願によって提供されるいくつかの実施例において、開示されているシステムと、装置と、方法とは、他の方式によって実現することができる。例えば、上記装置の実施例は、概略的なものに過ぎない。例えば、前記ユニットの区分は、ロジック機能の区分に過ぎない。実際に実現する時に、他の区分方式を有することができる。例えば、複数のユニットまたはコンポーネントは、結合することができる、または他のシステムに集成することができ、または一部の特徴を無視することができ、または実行しないことができる。一方、示されたまたは論議された相互間の結合または直接結合または通信接続は、一部のインターフェイスを介して、装置またはユニットの間接結合または通信接続であっても良く、電気的、機械的または他の形式であってもよい。
【０１９３】
分離部品として説明された前記ユニットは、物理的に分離していてもよく、物理的に分離していなくてもよい。ユニットとして示された部品は、物理的なユニットであってもよく、物理的なユニットでなくてもよい。即ち、一つの場所にあってもよく、または複数のネットワークユニットに分布されてもよい。必要に応じて、そのうちの一部または全部のユニットを選択して本実施例の技術案の目的を実現することができる。
【０１９４】
また、本願の各実施例においての各機能ユニットは、一つの処理ユニットに集められてもよいが、各ユニットが独立した物理的存在であっても良く、二つ以上のユニットが一つのユニットに集められてもよい。
【０１９５】
以上の記載は、本願の実施形態に過ぎず、本願の保護範囲はこれに限定されない。当分野に詳しい全ての当業者が本願に開示された技術範囲内で容易に想到する変化または取り替えは、本願の保護範囲に含まれるべきである。従って、本願の保護範囲はその特許請求の範囲に準ずるべきである。
【図１】
2020516223.tif 000003
【図２】
2020516223.tif 000004
【図３】
2020516223.tif 000005
【図４】
2020516223.tif 000006
【図５】
2020516223.tif 000007
【図６】
2020516223.tif 000008
【図７】
2020516223.tif 000009
【図８】
2020516223.tif 000010
【図９】
2020516223.tif 000011
【図１０】
2020516223.tif 000012
【図１１】
2020516223.tif 000013
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
充電対象機器に対する無線充電中に前記充電対象機器と無線通信する通信制御回路を含み、
前記通信制御回路は、前記充電対象機器と前記無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュール、およびモバイル通信モジュールのうちのいずれか１つまたは複数を含む、
ことを特徴とする無線充電装置。
【請求項２】
前記高搬送波周波数に基づく近距離無線通信モジュールは、内部にミリ波ＥＨＦアンテナがパッケージされた集積回路ＩＣチップを含み、前記光通信モジュールは、赤外線通信モジュールを含む、
ことを特徴とする請求項１に記載の無線充電装置。
【請求項３】
前記無線充電装置は、電圧変換回路をさらに含み、
前記電圧変換回路は、電源供給機器によって供給される入力電圧を受信し、前記入力電圧を変換して、前記電圧変換回路の出力電圧および出力電流を取得し、
前記無線送信回路は、前記電圧変換回路の出力電圧および出力電流に基づいて電磁信号を送信する、
ことを特徴とする請求項１に記載の無線充電装置。
【請求項４】
前記通信制御回路は、前記電圧変換回路の出力電圧および／または出力電流を調整して、前記無線送信回路の送信電力を調整する、
ことを特徴とする請求項３に記載の無線充電装置。
【請求項５】
前記無線送信回路は、インバータ回路と共振回路とを含み、
前記通信制御回路は、前記無線送信回路の送信電力を調整するように、前記インバータ回路のデューティ比および／または前記共振回路の共振周波数を調整する、
ことを特徴とする請求項３に記載の無線充電装置。
【請求項６】
前記無線充電装置は、充電インターフェースをさらに含み、
無線送信回路は、前記充電インターフェースを介して電源供給機器の出力電圧および出力電流を受信し、前記電源供給機器の出力電圧および出力電流に基づいて、前記電磁信号を生成する、
ことを特徴とする請求項１に記載の無線充電装置。
【請求項７】
前記通信制御回路が、前記電源供給機器の最大出力電力をネゴシエーションするように、前記電源供給機器と通信し、及び
前記無線送信回路が前記電力供給機器の最大出力電力に基づいて前記充電対象機器を無線充電する過程において、前記無線充電装置が、前記最大出力電力から前記無線送信回路によって抽出された電力量を調整して、前記無線送信回路の送信電力を調整する、
ことを特徴とする請求項６に記載の無線充電装置。
【請求項８】
前記通信制御回路が前記電源供給機器と通信することにより、前記電源供給機器の出力電圧および/または出力電流が調整され、前記無線送信回路の送信電力が調整されることを含む、
ことを特徴とする請求項６に記載の無線充電装置。
【請求項９】
前記通信制御回路が、前記充電対象機器から送信された、前記電源供給機器の出力電圧および／または出力電流を調整するように前記通信制御回路に指示するための調整情報を受信することを含む、
ことを特徴とする請求項８に記載の無線充電装置。
【請求項１０】
前記通信制御回路は、前記充電対象機器と無線通信する過程において、前記充電対象機器から送信された、前記バッテリの現在の電気量および／または現在の電圧を含むバッテリ状態情報を受信し、前記バッテリ状態情報に基づいて前記無線送信回路の送信電力を調整する、
ことを特徴とする請求項３に記載の無線充電装置。
【請求項１１】
前記通信制御回路は、前記充電対象機器と無線通信して、充電モードを決定し、前記充電モードは、第１の無線充電モードと第２の無線充電モードとを含み、前記第１の無線充電モードで充電対象機器を充電するワイヤレス充電装置の充電速度は、前記第２のワイヤレス充電モードで充電対象機器を充電するワイヤレス充電装置の充電速度より大きい、
ことを特徴とする請求項１に記載の無線充電装置。
【請求項１２】
バッテリと、
前記バッテリに対する無線充電中に無線充電装置と無線通信する通信制御回路とを含み、
前記通信制御回路は、前記無線充電装置と無線通信を行うためのブルートゥースモジュール、Ｗｉ−Ｆｉモジュール、高搬送波周波数に基づく近距離無線通信モジュール、光通信モジュール、超音波通信モジュール、超広帯域通信モジュールおよびモバイル通信モジュールのうちのいずれか１つまたは複数を含む、
ことを特徴とする充電対象機器。
【請求項１３】
前記充電対象機器は、
無線充電中に前記バッテリに入る電圧および／または電流を検出する検出回路と、
前記無線充電装置が送信電力を調整して前記バッテリに入る電圧および／または電流を調整するように、前記検出回路によって検出された電圧および／または電流に基づいて、前記無線充電装置と無線通信する通信制御回路と、をさらに含む、
ことを特徴とする請求項１２に記載の充電対象機器。
【請求項１４】
前記充電対象機器は、
前記無線充電装置から送信された電磁信号を受信し、前記電磁信号を前記無線受信回路の出力電力および出力電流に変換して前記バッテリを充電する無線受信回路と、
前記無線受信回路の出力電力および出力電流を受信し、前記第１の充電通路の出力電力および出力電流に基づいて前記バッテリを充電する第１の充電通路と、を含む、
ことを特徴とする請求項１２に記載の充電対象機器。
【請求項１５】
前記充電対象機器は、
前記第２の充電通路をさらに含み、前記第２の充電通路に変換回路が設けられ、前記変換回路は、前記無線受信回路の出力電圧および出力電流を受信し、前記無線受信回路の出力電圧および／または出力電流を変換し、変換された電圧および／または電流に基づいて前記バッテリを充電し、
前記通信制御回路は、さらに、前記第１の充電通路と前記第２の充電通路との切り替えを制御する、
ことを特徴とする請求項１４に記載の充電対象機器。
【国際調査報告】
2020516223.tif 000014
2020516223.tif 000015
2020516223.tif 000016
2020516223.tif 000017
2020516223.tif 000018
2020516223.tif 000019